(57)【要約】      （修正有）【課題】移動局装置がＰＵＳＣＨでＡＣＫ／ＮＡＣＫを効率的に送信可能にする。【解決手段】移動局装置は、下りリンクデータに対するＡＣＫ／ＮＡＣＫビットのシーケンスを２つのＡＣＫ／ＮＡＣＫセグメント（２つのＡＣＫ／ＮＡＣＫビットのシーケンス）に分割し、ＡＣＫ／ＮＡＣＫセグメントそれぞれのビット数（ペイロードサイズ）に基づいて、ＰＵＳＣＨで送信されるＡＣＫ／ＮＡＣＫの符号化ビット数Ｑ（Ｑ’）を分割することによって、ＡＣＫ／ＮＡＣＫセグメントそれぞれの符号化ビット数Ｑ1とＱ2を算出し、算出した符号化ビット数Ｑ1とＱ2の下りリンクデータに対するＡＣＫ／ＮＡＣＫビットをＰＵＳＣＨで基地局装置へ送信し、基地局装置は、ＰＵＳＣＨで受信した下りリンクデータに対するＡＣＫ／ＮＡＣＫビットを復号する。【選択図】図７
2012129761.tif 000002
【特許請求の範囲】
【請求項１】
移動局装置と基地局装置とが通信する無線通信システムであって、
前記移動局装置は、
下りリンクデータに対するＡＣＫ／ＮＡＣＫビットのシーケンスを２つのＡＣＫ／ＮＡＣＫビットのシーケンスに分割し、
前記分割されたＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出し、
前記算出した符号化ビット数の前記下りリンクデータに対するＡＣＫ／ＮＡＣＫビットを前記物理上りリンク共用チャネルで前記基地局装置へ送信し、
前記基地局装置は、
前記物理上りリンク共用チャネルで受信した前記下りリンクデータに対するＡＣＫ／ＮＡＣＫビットを復号する
ことを特徴とする無線通信システム。
【請求項２】
移動局装置と基地局装置とが通信する無線通信システムであって、
前記移動局装置は、
物理上りリンク共用チャネルの無線リソースの割り当てを示す制御情報を前記基地局装置から受信した物理チャネルに応じて、下りリンクデータに対するＡＣＫ／ＮＡＣＫの符号化ビット数の算出に最小値を適用するか否かを決定し、
前記ＡＣＫ／ＮＡＣＫの符号化ビット数を算出し、
前記算出した符号化ビット数の前記ＡＣＫ／ＮＡＣＫを物理上りリンク共用チャネルで前記基地局装置へ送信し、
前記基地局装置は、
前記物理上りリンク共用チャネルで受信した前記ＡＣＫ／ＮＡＣＫビットを復号する
ことを特徴とする無線通信システム。
【請求項３】
移動局装置と基地局装置とが通信する無線通信システムであって、
前記移動局装置は、
物理上りリンク共用チャネルの無線リソースの割り当てを示す制御情報の送信に用いられる制御情報フォーマットに応じて、下りリンクデータに対するＡＣＫ／ＮＡＣＫの符号化ビット数の算出に最小値を適用するか否かを決定し、
前記ＡＣＫ／ＮＡＣＫの符号化ビット数を算出し、
前記算出した符号化ビット数の前記ＡＣＫ／ＮＡＣＫを物理上りリンク共用チャネルで前記基地局装置へ送信し、
前記基地局装置は、
前記物理上りリンク共用チャネルで受信した前記ＡＣＫ／ＮＡＣＫビットを復号する
ことを特徴とする無線通信システム。
【請求項４】
移動局装置と基地局装置とが通信する無線通信システムであって、
前記移動局装置は、
前記基地局装置によって複数のオフセット値を設定され、
物理上りリンク共用チャネルの無線リソースの割り当てを示す制御情報を前記基地局装置から受信した物理チャネルに応じて、前記設定された複数のオフセット値の中から１つのオフセット値を用いて、下りリンクデータに対するＡＣＫ／ＮＡＣＫの符号化ビット数を算出し、
前記算出した符号化ビット数の前記ＡＣＫ／ＮＡＣＫを物理上りリンク共用チャネルで前記基地局装置へ送信し、
前記基地局装置は、
前記物理上りリンク共用チャネルで受信した前記ＡＣＫ／ＮＡＣＫビットを復号する
ことを特徴とする無線通信システム。
【請求項５】
移動局装置と基地局装置とが通信する無線通信システムであって、
前記移動局装置は、
前記基地局装置によって複数のオフセット値を設定され、
物理上りリンク共用チャネルの無線リソースの割り当てを示す制御情報の送信に用いられる制御情報フォーマットに応じて、前記設定された複数のオフセット値の中から１つのオフセット値を用いて、下りリンクデータに対するＡＣＫ／ＮＡＣＫの符号化ビット数を算出し、
前記算出した符号化ビット数の前記ＡＣＫ／ＮＡＣＫを物理上りリンク共用チャネルで前記基地局装置へ送信し、
前記基地局装置は、
前記物理上りリンク共用チャネルで受信した前記ＡＣＫ／ＮＡＣＫビットを復号する
ことを特徴とする無線通信システム。
【請求項６】
基地局装置と通信する移動局装置であって、
下りリンクデータに対するＡＣＫ／ＮＡＣＫビットのシーケンスを２つのＡＣＫ／ＮＡＣＫビットのシーケンスに分割し、
前記分割されたＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する
ことを特徴とする移動局装置。
【請求項７】
基地局装置と通信する移動局装置であって、
物理上りリンク共用チャネルの無線リソースの割り当てを示す制御情報を前記基地局装置から受信した物理チャネルに応じて、下りリンクデータに対するＡＣＫ／ＮＡＣＫの符号化ビット数の算出に最小値を適用するか否かを決定する
ことを特徴とする移動局装置。
【請求項８】
基地局装置と通信する移動局装置であって、
物理上りリンク共用チャネルの無線リソースの割り当てを示す制御情報の送信に用いられる制御情報フォーマットに応じて、下りリンクデータに対するＡＣＫ／ＮＡＣＫの符号化ビット数の算出に最小値を適用するか否かを決定する
ことを特徴とする移動局装置。
【請求項９】
基地局装置と通信する移動局装置であって、
前記基地局装置によって複数のオフセット値を設定され、
物理上りリンク共用チャネルの無線リソースの割り当てを示す制御情報を前記基地局装置から受信した物理チャネルに応じて、前記設定された複数のオフセット値の中から１つのオフセット値を用いて、下りリンクデータに対するＡＣＫ／ＮＡＣＫの符号化ビット数を算出する
ことを特徴とする移動局装置。
【請求項１０】
基地局装置と通信する移動局装置であって、
前記基地局装置によって複数のオフセット値を設定され、
物理上りリンク共用チャネルの無線リソースの割り当てを示す制御情報の送信に用いられる制御情報フォーマットに応じて、前記設定された複数のオフセット値の中から１つのオフセット値を用いて、下りリンクデータに対するＡＣＫ／ＮＡＣＫの符号化ビット数を算出する
ことを特徴とする移動局装置。
【請求項１１】
移動局装置と通信する基地局装置であって、
２つのＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する
ことを特徴とする基地局装置。
【請求項１２】
移動局装置と通信する基地局装置であって、
物理上りリンク共用チャネルの無線リソースの割り当てを示す制御情報を前記移動局装置へ送信した物理チャネルに応じて、下りリンクデータに対するＡＣＫ／ＮＡＣＫの符号化ビット数の算出に最小値を適用するか否かを決定し、
前記ＡＣＫ／ＮＡＣＫの符号化ビット数を算出し、
前記算出した符号化ビット数の前記ＡＣＫ／ＮＡＣＫを物理上りリンク共用チャネルで前記移動局装置から受信し、
前記受信したＡＣＫ／ＮＡＣＫビットを復号する
ことを特徴とする基地局装置。
【請求項１３】
移動局装置と通信する基地局装置であって、
物理上りリンク共用チャネルの無線リソースの割り当てを示す制御情報の前記移動局装置への送信に用いられる制御情報フォーマットに応じて、下りリンクデータに対するＡＣＫ／ＮＡＣＫの符号化ビット数の算出に最小値を適用するか否かを決定し、
前記ＡＣＫ／ＮＡＣＫの符号化ビット数を算出し、
前記算出した符号化ビット数の前記ＡＣＫ／ＮＡＣＫを物理上りリンク共用チャネルで前記移動局装置から受信し、
前記受信した前記ＡＣＫ／ＮＡＣＫビットを復号する
ことを特徴とする基地局装置。
【請求項１４】
移動局装置と通信する基地局装置であって、
前記移動局装置に対して複数のオフセット値を設定し、
物理上りリンク共用チャネルの無線リソースの割り当てを示す制御情報を前記移動局装置へ送信した物理チャネルに応じて、前記設定された複数のオフセット値の中から１つのオフセット値を用いて、下りリンクデータに対するＡＣＫ／ＮＡＣＫの符号化ビット数を算出し、
前記算出した符号化ビット数の前記ＡＣＫ／ＮＡＣＫを物理上りリンク共用チャネルで前記移動局装置から受信し、
前記受信したＡＣＫ／ＮＡＣＫビットを復号する
ことを特徴とする基地局装置。
【請求項１５】
移動局装置と通信する基地局装置であって、
前記移動局装置に対して複数のオフセット値を設定し、
物理上りリンク共用チャネルの無線リソースの割り当てを示す制御情報の前記移動局装置への送信に用いられる制御情報フォーマットに応じて、前記設定された複数のオフセット値の中から１つのオフセット値を用いて、下りリンクデータに対するＡＣＫ／ＮＡＣＫの符号化ビット数を算出し、
前記算出した符号化ビット数の前記ＡＣＫ／ＮＡＣＫを物理上りリンク共用チャネルで前記移動局装置から受信し、
前記受信したＡＣＫ／ＮＡＣＫビットを復号する
ことを特徴とする基地局装置。
【請求項１６】
基地局装置と通信する移動局装置に用いられる無線通信方法であって、
下りリンクデータに対するＡＣＫ／ＮＡＣＫビットのシーケンスを２つのＡＣＫ／ＮＡＣＫビットのシーケンスに分割する処理と、
前記分割されたＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する処理を実行する
ことを特徴とする無線通信方法。
【請求項１７】
基地局装置と通信する移動局装置に用いられる無線通信方法であって、
物理上りリンク共用チャネルの無線リソースの割り当てを示す制御情報を前記基地局装置から受信した物理チャネルに応じて、下りリンクデータに対するＡＣＫ／ＮＡＣＫの符号化ビット数の算出に最小値を適用するか否かを決定する処理を実行する
ことを特徴とする無線通信方法。
【請求項１８】
基地局装置と通信する移動局装置に用いられる無線通信方法であって、
物理上りリンク共用チャネルの無線リソースの割り当てを示す制御情報の送信に用いられる制御情報フォーマットに応じて、下りリンクデータに対するＡＣＫ／ＮＡＣＫの符号化ビット数の算出に最小値を適用するか否かを決定する処理を実行する処理を実行する
ことを特徴とする無線通信方法。
【請求項１９】
基地局装置と通信する移動局装置に用いられる無線通信方法であって、
前記基地局装置によって複数のオフセット値を設定される処理と、
物理上りリンク共用チャネルの無線リソースの割り当てを示す制御情報を前記基地局装置から受信した物理チャネルに応じて、前記設定された複数のオフセット値の中から１つのオフセット値を用いて、下りリンクデータに対するＡＣＫ／ＮＡＣＫの符号化ビット数を算出する処理を実行する
ことを特徴とする無線通信方法。
【請求項２０】
基地局装置と通信する移動局装置に用いられる無線通信方法であって、
前記基地局装置によって複数のオフセット値を設定される処理と、
物理上りリンク共用チャネルの無線リソースの割り当てを示す制御情報の送信に用いられる制御情報フォーマットに応じて、前記設定された複数のオフセット値の中から１つのオフセット値を用いて、下りリンクデータに対するＡＣＫ／ＮＡＣＫの符号化ビット数を算出する処理を実行する
ことを特徴とする無線通信方法。
【請求項２１】
移動局装置と通信する基地局装置に用いられる無線通信方法であって、
２つのＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する処理を実行する
ことを特徴とする無線通信方法。
【請求項２２】
移動局装置と通信する基地局装置に用いられる無線通信方法であって、
物理上りリンク共用チャネルの無線リソースの割り当てを示す制御情報を前記移動局装置へ送信した物理チャネルに応じて、下りリンクデータに対するＡＣＫ／ＮＡＣＫの符号化ビット数の算出に最小値を適用するか否かを決定する処理と、
前記ＡＣＫ／ＮＡＣＫの符号化ビット数を算出する処理と、
前記算出した符号化ビット数の前記ＡＣＫ／ＮＡＣＫを物理上りリンク共用チャネルで前記移動局装置から受信する処理と、
前記受信したＡＣＫ／ＮＡＣＫビットを復号する処理を実行する
ことを特徴とする無線通信方法。
【請求項２３】
移動局装置と通信する基地局装置に用いられる無線通信方法であって、
物理上りリンク共用チャネルの無線リソースの割り当てを示す制御情報の前記移動局装置への送信に用いられる制御情報フォーマットに応じて、下りリンクデータに対するＡＣＫ／ＮＡＣＫの符号化ビット数の算出に最小値を適用するか否かを決定する処理と、
前記ＡＣＫ／ＮＡＣＫの符号化ビット数を算出する処理と、
前記算出した符号化ビット数の前記ＡＣＫ／ＮＡＣＫを物理上りリンク共用チャネルで前記移動局装置から受信する処理と、
前記受信した前記ＡＣＫ／ＮＡＣＫビットを復号する処理を実行する
ことを特徴とする無線通信方法。
【請求項２４】
移動局装置と通信する基地局装置に用いられる無線通信方法であって、
前記移動局装置に対して複数のオフセット値を設定する処理と、
物理上りリンク共用チャネルの無線リソースの割り当てを示す制御情報を前記移動局装置へ送信した物理チャネルに応じて、前記設定された複数のオフセット値の中から１つのオフセット値を用いて、下りリンクデータに対するＡＣＫ／ＮＡＣＫの符号化ビット数を算出する処理と、
前記算出した符号化ビット数の前記ＡＣＫ／ＮＡＣＫを物理上りリンク共用チャネルで前記移動局装置から受信する処理と、
前記受信したＡＣＫ／ＮＡＣＫビットを復号する処理を実行する
ことを特徴とする無線通信方法。
【請求項２５】
移動局装置と通信する基地局装置に用いられる無線通信方法であって、
前記移動局装置に対して複数のオフセット値を設定する処理と、
物理上りリンク共用チャネルの無線リソースの割り当てを示す制御情報の前記移動局装置への送信に用いられる制御情報フォーマットに応じて、前記設定された複数のオフセット値の中から１つのオフセット値を用いて、下りリンクデータに対するＡＣＫ／ＮＡＣＫの符号化ビット数を算出する処理と、
前記算出した符号化ビット数の前記ＡＣＫ／ＮＡＣＫを物理上りリンク共用チャネルで前記移動局装置から受信する処理と、
前記受信したＡＣＫ／ＮＡＣＫビットを復号する処理を実行する
ことを特徴とする無線通信方法。
【請求項２６】
基地局装置と通信する移動局装置に用いられる集積回路であって、
下りリンクデータに対するＡＣＫ／ＮＡＣＫビットのシーケンスを２つのＡＣＫ／ＮＡＣＫビットのシーケンスに分割する処理と、
前記分割されたＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する処理と
を含む一連の処理が実行可能にチップ化されたことを特徴とする集積回路。
【請求項２７】
基地局装置と通信する移動局装置に用いられる集積回路であって、
物理上りリンク共用チャネルの無線リソースの割り当てを示す制御情報を前記基地局装置から受信した物理チャネルに応じて、下りリンクデータに対するＡＣＫ／ＮＡＣＫの符号化ビット数の算出に最小値を適用するか否かを決定する処理が
実行可能にチップ化されたことを特徴とする集積回路。
【請求項２８】
基地局装置と通信する移動局装置に用いられる無線通信方法であって、
物理上りリンク共用チャネルの無線リソースの割り当てを示す制御情報の送信に用いられる制御情報フォーマットに応じて、下りリンクデータに対するＡＣＫ／ＮＡＣＫの符号化ビット数の算出に最小値を適用するか否かを決定する処理を実行する処理が
実行可能にチップ化されたことを特徴とする集積回路。
【請求項２９】
基地局装置と通信する移動局装置に用いられる集積回路であって、
前記基地局装置によって複数のオフセット値を設定される処理と、
物理上りリンク共用チャネルの無線リソースの割り当てを示す制御情報を前記基地局装置から受信した物理チャネルに応じて、前記設定された複数のオフセット値の中から１つのオフセット値を用いて、下りリンクデータに対するＡＣＫ／ＮＡＣＫの符号化ビット数を算出する処理と
を含む一連の処理が実行可能にチップ化されたことを特徴とする集積回路。
【請求項３０】
基地局装置と通信する移動局装置に用いられる集積回路であって、
前記基地局装置によって複数のオフセット値を設定される処理と、
物理上りリンク共用チャネルの無線リソースの割り当てを示す制御情報の送信に用いられる制御情報フォーマットに応じて、前記設定された複数のオフセット値の中から１つのオフセット値を用いて、下りリンクデータに対するＡＣＫ／ＮＡＣＫの符号化ビット数を算出する処理と
を含む一連の処理が実行可能にチップ化されたことを特徴とする集積回路。
【請求項３１】
移動局装置と通信する基地局装置に用いられる集積回路であって、
２つのＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する処理が
実行可能にチップ化されたことを特徴とする集積回路。
【請求項３２】
移動局装置と通信する基地局装置に用いられる集積回路であって、
物理上りリンク共用チャネルの無線リソースの割り当てを示す制御情報を前記移動局装置へ送信した物理チャネルに応じて、下りリンクデータに対するＡＣＫ／ＮＡＣＫの符号化ビット数の算出に最小値を適用するか否かを決定する処理と、
前記ＡＣＫ／ＮＡＣＫの符号化ビット数を算出する処理と、
前記算出した符号化ビット数の前記ＡＣＫ／ＮＡＣＫを物理上りリンク共用チャネルで前記移動局装置から受信する処理と、
前記受信したＡＣＫ／ＮＡＣＫビットを復号する処理と
を含む一連の処理が実行可能にチップ化されたことを特徴とする集積回路。
【請求項３３】
移動局装置と通信する基地局装置に用いられる集積回路であって、
物理上りリンク共用チャネルの無線リソースの割り当てを示す制御情報の前記移動局装置への送信に用いられる制御情報フォーマットに応じて、下りリンクデータに対するＡＣＫ／ＮＡＣＫの符号化ビット数の算出に最小値を適用するか否かを決定する処理と、
前記ＡＣＫ／ＮＡＣＫの符号化ビット数を算出する処理と、
前記算出した符号化ビット数の前記ＡＣＫ／ＮＡＣＫを物理上りリンク共用チャネルで前記移動局装置から受信する処理と、
前記受信した前記ＡＣＫ／ＮＡＣＫビットを復号する処理と
を含む一連の処理が実行可能にチップ化されたことを特徴とする集積回路。
【請求項３４】
移動局装置と通信する基地局装置に用いられる集積回路であって、
前記移動局装置に対して複数のオフセット値を設定する処理と、
物理上りリンク共用チャネルの無線リソースの割り当てを示す制御情報を前記移動局装置へ送信した物理チャネルに応じて、前記設定された複数のオフセット値の中から１つのオフセット値を用いて、下りリンクデータに対するＡＣＫ／ＮＡＣＫの符号化ビット数を算出する処理と、
前記算出した符号化ビット数の前記ＡＣＫ／ＮＡＣＫを物理上りリンク共用チャネルで前記移動局装置から受信する処理と、
前記受信したＡＣＫ／ＮＡＣＫビットを復号する処理と
を含む一連の処理が実行可能にチップ化されたことを特徴とする集積回路。
【請求項３５】
移動局装置と通信する基地局装置に用いられる集積回路であって、
前記移動局装置に対して複数のオフセット値を設定する処理と、
物理上りリンク共用チャネルの無線リソースの割り当てを示す制御情報の前記移動局装置への送信に用いられる制御情報フォーマットに応じて、前記設定された複数のオフセット値の中から１つのオフセット値を用いて、下りリンクデータに対するＡＣＫ／ＮＡＣＫの符号化ビット数を算出する処理と、
前記算出した符号化ビット数の前記ＡＣＫ／ＮＡＣＫを物理上りリンク共用チャネルで前記移動局装置から受信する処理と、
前記受信したＡＣＫ／ＮＡＣＫビットを復号する処理と
を含む一連の処理が実行可能にチップ化されたことを特徴とする集積回路。
【発明の詳細な説明】
【技術分野】
【０００１】
本発明は、無線通信システム、基地局装置、移動局装置、無線通信方法および集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥでは、移動局装置が物理下りリンク共用チャネル（Physical Downlink Shared Channel: PDSCH）で受信した下りリンクデータ（上位レイヤにおける情報チャネル）（Downlink Shared Channel: DL-SCH）の復号に成功したか否かを示すＡＣＫ（Acknowledgement）／ＮＡＣＫ（Negative Acknowledgement）（ＨＡＲＱ−ＡＣＫとも称する。）は、物理上りリンク制御チャネル（Physical Uplink Control Channel: PUCCH）または物理上りリンク共用チャネル（Physical Uplink Shared Channel: PUSCH）を用いて送信される。移動局装置がＡＣＫ／ＮＡＣＫを送信する時にＰＵＳＣＨの無線リソースを割り当てられていない場合は、ＡＣＫ／ＮＡＣＫはＰＵＣＣＨで送信される。移動局装置がＡＣＫ／ＮＡＣＫを送信する時にＰＵＳＣＨの無線リソースを割り当てられている場合は、ＡＣＫ／ＮＡＣＫはＰＵＳＣＨで送信される。ＬＴＥでは、ＰＵＳＣＨで３ビット以上のＡＣＫ／ＮＡＣＫを送信する場合には、ＡＣＫ／ＮＡＣＫをリードマラー（Reed-Muller）符号化し、３２ビットのＡＣＫ／ＮＡＣＫ符号化ビット系列を生成する。
【０００４】
ＬＴＥ−Ａでは、移動局装置がＡＣＫ／ＮＡＣＫをＰＵＳＣＨで送信する際に、ＰＵＳＣＨで送信するＡＣＫ／ＮＡＣＫの符号化ビット数をＡＣＫ／ＮＡＣＫのペイロードサイズやＰＵＳＣＨのリソース量などに基づいて算出する。また、ＰＵＳＣＨで送信されるＡＣＫ／ＮＡＣＫの符号化ビット数の最小値を定義することが検討されている（非特許文献１）。
【０００５】
ＬＴＥ−ＡではＰＵＣＣＨで１２ビットより多いＡＣＫ／ＮＡＣＫを送信する場合に、ＡＣＫ／ＮＡＣＫ系列を２つのＡＣＫ／ＮＡＣＫセグメントに分割し、２つのＡＣＫ／ＮＡＣＫセグメントを別々にリードマラー符号化することが検討されている（非特許文献２）。
【０００６】
ＬＴＥ−Ａでは、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）では、ＬＴＥとの後方互換性(backward compatibility)を持つことが検討されている。つまり、ＬＴＥ−Ａの基地局装置はＬＴＥ−ＡおよびＬＴＥ両方の移動局装置と同時に無線通信を行ない、また、ＬＴＥ−Ａの移動局装置はＬＴＥ−ＡおよびＬＴＥ両方の基地局装置と無線通信を行なうことができ、ＬＴＥ−ＡはＬＴＥと同一のチャネル構造を用いる。
【０００７】
ＬＴＥ−Ａでは、ＬＴＥと同一のチャネル構造の周波数帯域（以下、「コンポーネントキャリア（Component Carrier: CC）」と称する。）またはセルを複数用いて、１つの周波数帯域（広帯域な周波数帯域）として使用する技術（キャリア集約: carrier aggregation、セル集約: cell aggregation等とも称される。）が提案されている。例えば、周波数帯域集約を用いた通信では、基地局装置は１つまたは複数の下りリンクコンポーネントキャリア（Downlink Component Carrier: DL CC）またはセルを用いて、移動局装置に複数の上りリンクグラントを同時に送信することができ、移動局装置は同時に受信した複数の上りリンクグラントによって割り当てられた複数の上りリンクコンポーネントキャリア（Uplink Component Carrier: UL CC）またはセルの無線リソースを用いて、基地局装置に複数のＰＵＳＣＨを同時に送信することができる。
【０００８】
ＬＴＥ−Ａでは、移動局装置が同時に受信した複数のＰＤＳＣＨそれぞれに対する複数のＡＣＫ／ＮＡＣＫを基地局装置に送信する際に、移動局装置が送信する複数のＰＵＳＣＨのうち１つのＰＵＳＣＨを用いて上りリンクデータ（上位レイヤにおける情報チャネル）（Uplink Shared Channel: UL-SCH）と複数のＡＣＫ／ＮＡＣＫをともに送信することが検討されている（非特許文献３）。
【先行技術文献】
【非特許文献】
【０００９】
【非特許文献１】"Definition of Q’min for UCI on PUSCH", 3GPP TSG RAN WG1 Meeting #63, R1-106095, November 15-19, 2010.
【非特許文献２】"Way forward on Supporting ACK/NAK Payload Larger than 11 Bits in Rel-10 TDD", 3GPP TSG RAN WG1 Meeting #62bis, R1-105776, October 11-15, 2010.
【非特許文献３】"UCI Transmission in the Presence of UL-SCH Data", 3GPP TSG RAN WG1 Meeting #61, R1-103067, May 10-14, 2010.
【発明の概要】
【発明が解決しようとする課題】
【００１０】
しかしながら、従来の技術では、基地局装置と移動局装置とが通信する無線通信システムにおいて、移動局装置が、ＰＵＳＣＨで送信されるＡＣＫ／ＮＡＣＫの符号化ビット数をどのように算出するかが不明確であり、基地局装置は移動局装置によってＰＵＳＣＨで送信されるＡＣＫ／ＮＡＣＫの符号化ビット数がわらかないため、ＰＵＳＣＨで送信される上りリンクデータおよびＡＣＫ／ＮＡＣＫを正しく受信できないという問題があった。
【００１１】
本発明は上記の点に鑑みてなされたものであり、その目的は、移動局装置がＰＵＳＣＨでＡＣＫ／ＮＡＣＫを効率的に送信することができる無線通信システム、基地局装置、移動局装置、無線通信方法および集積回路を提供することを目的とする。
【課題を解決するための手段】
【００１２】
（１）上記の目的を達成するために、本発明は、以下のような手段を講じた。すなわち、本発明の無線通信システムは、基地局装置と移動局装置が通信する無線通信システムであって、前記移動局装置は、下りリンクデータに対するＡＣＫ／ＮＡＣＫビットのシーケンスを２つのＡＣＫ／ＮＡＣＫビットのシーケンスに分割し、前記分割されたＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出し、前記算出した符号化ビット数の前記下りリンクデータに対するＡＣＫ／ＮＡＣＫビットを前記物理上りリンク共用チャネルで前記基地局装置へ送信し、前記基地局装置は、前記物理上りリンク共用チャネルで受信した前記下りリンクデータに対するＡＣＫ／ＮＡＣＫビットを復号することを特徴としている。
【００１３】
（２）また、本発明の無線通信システムは、移動局装置と基地局装置とが通信する無線通信システムであって、前記移動局装置は、物理上りリンク共用チャネルの無線リソースの割り当てを示す制御情報を前記基地局装置から受信した物理チャネルに応じて、下りリンクデータに対するＡＣＫ／ＮＡＣＫの符号化ビット数の算出に最小値を適用するか否かを決定し、前記ＡＣＫ／ＮＡＣＫの符号化ビット数を算出し、前記算出した符号化ビット数の前記ＡＣＫ／ＮＡＣＫを物理上りリンク共用チャネルで前記基地局装置へ送信し、前記基地局装置は、前記物理上りリンク共用チャネルで受信した前記ＡＣＫ／ＮＡＣＫビットを復号することを特徴としている。
【００１４】
（３）また、本発明の無線通信システムは、移動局装置と基地局装置とが通信する無線通信システムであって、前記移動局装置は、物理上りリンク共用チャネルの無線リソースの割り当てを示す制御情報の送信に用いられる制御情報フォーマットに応じて、下りリンクデータに対するＡＣＫ／ＮＡＣＫの符号化ビット数の算出に最小値を適用するか否かを決定し、前記ＡＣＫ／ＮＡＣＫの符号化ビット数を算出し、前記算出した符号化ビット数の前記ＡＣＫ／ＮＡＣＫを物理上りリンク共用チャネルで前記基地局装置へ送信し、前記基地局装置は、前記物理上りリンク共用チャネルで受信した前記ＡＣＫ／ＮＡＣＫビットを復号することを特徴としている。
【００１５】
（４）また、本発明の無線通信システムは、移動局装置と基地局装置とが通信する無線通信システムであって、前記移動局装置は、前記基地局装置によって複数のオフセット値を設定され、物理上りリンク共用チャネルの無線リソースの割り当てを示す制御情報を前記基地局装置から受信した物理チャネルに応じて、前記設定された複数のオフセット値の中から１つのオフセット値を用いて、下りリンクデータに対するＡＣＫ／ＮＡＣＫの符号化ビット数を算出し、前記算出した符号化ビット数の前記ＡＣＫ／ＮＡＣＫを物理上りリンク共用チャネルで前記基地局装置へ送信し、前記基地局装置は、前記物理上りリンク共用チャネルで受信した前記ＡＣＫ／ＮＡＣＫビットを復号することを特徴としている。
【００１６】
（５）また、本発明の無線通信システムは、移動局装置と基地局装置とが通信する無線通信システムであって、前記移動局装置は、前記基地局装置によって複数のオフセット値を設定され、物理上りリンク共用チャネルの無線リソースの割り当てを示す制御情報の送信に用いられる制御情報フォーマットに応じて、前記設定された複数のオフセット値の中から１つのオフセット値を用いて、下りリンクデータに対するＡＣＫ／ＮＡＣＫの符号化ビット数を算出し、前記算出した符号化ビット数の前記ＡＣＫ／ＮＡＣＫを物理上りリンク共用チャネルで前記基地局装置へ送信し、前記基地局装置は、前記物理上りリンク共用チャネルで受信した前記ＡＣＫ／ＮＡＣＫビットを復号することを特徴としている。
【００１７】
（６）また、本発明の移動局装置は、基地局装置と通信する移動局装置であって、下りリンクデータに対するＡＣＫ／ＮＡＣＫビットのシーケンスを２つのＡＣＫ／ＮＡＣＫビットのシーケンスに分割し、前記分割されたＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出することを特徴としている。
【００１８】
（７）また、本発明の移動局装置は、基地局装置と通信する移動局装置であって、物理上りリンク共用チャネルの無線リソースの割り当てを示す制御情報を前記基地局装置から受信した物理チャネルに応じて、下りリンクデータに対するＡＣＫ／ＮＡＣＫの符号化ビット数の算出に最小値を適用するか否かを決定することを特徴としている。
【００１９】
（８）また、本発明の移動局装置は、基地局装置と通信する移動局装置であって、物理上りリンク共用チャネルの無線リソースの割り当てを示す制御情報の送信に用いられる制御情報フォーマットに応じて、下りリンクデータに対するＡＣＫ／ＮＡＣＫの符号化ビット数の算出に最小値を適用するか否かを決定することを特徴としている。
【００２０】
（９）また、本発明の移動局装置は、基地局装置と通信する移動局装置であって、前記基地局装置によって複数のオフセット値を設定され、物理上りリンク共用チャネルの無線リソースの割り当てを示す制御情報を前記基地局装置から受信した物理チャネルに応じて、前記設定された複数のオフセット値の中から１つのオフセット値を用いて、下りリンクデータに対するＡＣＫ／ＮＡＣＫの符号化ビット数を算出することを特徴としている。
【００２１】
（１０）また、本発明の移動局装置は、基地局装置と通信する移動局装置であって、前記基地局装置によって複数のオフセット値を設定され、物理上りリンク共用チャネルの無線リソースの割り当てを示す制御情報の送信に用いられる制御情報フォーマットに応じて、前記設定された複数のオフセット値の中から１つのオフセット値を用いて、下りリンクデータに対するＡＣＫ／ＮＡＣＫの符号化ビット数を算出することを特徴としている。
【００２２】
（１１）また、本発明の基地局装置は、移動局装置と通信する基地局装置であって、２つのＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出することを特徴としている。
【００２３】
（１２）また、本発明の基地局装置は、移動局装置と通信する基地局装置であって、物理上りリンク共用チャネルの無線リソースの割り当てを示す制御情報を前記移動局装置へ送信した物理チャネルに応じて、下りリンクデータに対するＡＣＫ／ＮＡＣＫの符号化ビット数の算出に最小値を適用するか否かを決定し、前記ＡＣＫ／ＮＡＣＫの符号化ビット数を算出し、前記算出した符号化ビット数の前記ＡＣＫ／ＮＡＣＫを物理上りリンク共用チャネルで前記移動局装置から受信し、前記受信したＡＣＫ／ＮＡＣＫビットを復号することを特徴としている。
【００２４】
（１３）また、本発明の基地局装置は、移動局装置と通信する基地局装置であって、物理上りリンク共用チャネルの無線リソースの割り当てを示す制御情報の前記移動局装置への送信に用いられる制御情報フォーマットに応じて、下りリンクデータに対するＡＣＫ／ＮＡＣＫの符号化ビット数の算出に最小値を適用するか否かを決定し、前記ＡＣＫ／ＮＡＣＫの符号化ビット数を算出し、前記算出した符号化ビット数の前記ＡＣＫ／ＮＡＣＫを物理上りリンク共用チャネルで前記移動局装置から受信し、前記受信した前記ＡＣＫ／ＮＡＣＫビットを復号することを特徴としている。
【００２５】
（１４）また、本発明の基地局装置は、移動局装置と通信する基地局装置であって、前記移動局装置に対して複数のオフセット値を設定し、物理上りリンク共用チャネルの無線リソースの割り当てを示す制御情報を前記移動局装置へ送信した物理チャネルに応じて、前記設定された複数のオフセット値の中から１つのオフセット値を用いて、下りリンクデータに対するＡＣＫ／ＮＡＣＫの符号化ビット数を算出し、前記算出した符号化ビット数の前記ＡＣＫ／ＮＡＣＫを物理上りリンク共用チャネルで前記移動局装置から受信し、前記受信したＡＣＫ／ＮＡＣＫビットを復号することを特徴としている。
【００２６】
（１５）また、本発明の基地局装置は、移動局装置と通信する基地局装置であって、前記移動局装置に対して複数のオフセット値を設定し、物理上りリンク共用チャネルの無線リソースの割り当てを示す制御情報の前記移動局装置への送信に用いられる制御情報フォーマットに応じて、前記設定された複数のオフセット値の中から１つのオフセット値を用いて、下りリンクデータに対するＡＣＫ／ＮＡＣＫの符号化ビット数を算出し、前記算出した符号化ビット数の前記ＡＣＫ／ＮＡＣＫを物理上りリンク共用チャネルで前記移動局装置から受信し、前記受信したＡＣＫ／ＮＡＣＫビットを復号することを特徴としている。
【００２７】
（１６）また、本発明の無線通信方法は、基地局装置と通信する移動局装置に用いられる無線通信方法であって、下りリンクデータに対するＡＣＫ／ＮＡＣＫビットのシーケンスを２つのＡＣＫ／ＮＡＣＫビットのシーケンスに分割する処理と、前記分割されたＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する処理を実行することを特徴としている。
【００２８】
（１７）また、本発明の無線通信方法は、基地局装置と通信する移動局装置に用いられる無線通信方法であって、物理上りリンク共用チャネルの無線リソースの割り当てを示す制御情報を前記基地局装置から受信した物理チャネルに応じて、下りリンクデータに対するＡＣＫ／ＮＡＣＫの符号化ビット数の算出に最小値を適用するか否かを決定する処理を実行することを特徴としている。
【００２９】
（１８）また、本発明の無線通信方法は、基地局装置と通信する移動局装置に用いられる無線通信方法であって、物理上りリンク共用チャネルの無線リソースの割り当てを示す制御情報の送信に用いられる制御情報フォーマットに応じて、下りリンクデータに対するＡＣＫ／ＮＡＣＫの符号化ビット数の算出に最小値を適用するか否かを決定する処理を実行する処理を実行することを特徴としている。
【００３０】
（１９）また、本発明の無線通信方法は、基地局装置と通信する移動局装置に用いられる無線通信方法であって、前記基地局装置によって複数のオフセット値を設定される処理と、物理上りリンク共用チャネルの無線リソースの割り当てを示す制御情報を前記基地局装置から受信した物理チャネルに応じて、前記設定された複数のオフセット値の中から１つのオフセット値を用いて、下りリンクデータに対するＡＣＫ／ＮＡＣＫの符号化ビット数を算出する処理を実行することを特徴としている。
【００３１】
（２０）また、本発明の無線通信方法は、基地局装置と通信する移動局装置に用いられる無線通信方法であって、前記基地局装置によって複数のオフセット値を設定される処理と、物理上りリンク共用チャネルの無線リソースの割り当てを示す制御情報の送信に用いられる制御情報フォーマットに応じて、前記設定された複数のオフセット値の中から１つのオフセット値を用いて、下りリンクデータに対するＡＣＫ／ＮＡＣＫの符号化ビット数を算出する処理を実行することを特徴としている。
【００３２】
（２１）また、本発明の無線通信方法は、移動局装置と通信する基地局装置に用いられる無線通信方法であって、２つのＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する処理を実行することを特徴としている。
【００３３】
（２２）また、本発明の無線通信方法は、移動局装置と通信する基地局装置に用いられる無線通信方法であって、物理上りリンク共用チャネルの無線リソースの割り当てを示す制御情報を前記移動局装置へ送信した物理チャネルに応じて、下りリンクデータに対するＡＣＫ／ＮＡＣＫの符号化ビット数の算出に最小値を適用するか否かを決定する処理と、前記ＡＣＫ／ＮＡＣＫの符号化ビット数を算出する処理と、前記算出した符号化ビット数の前記ＡＣＫ／ＮＡＣＫを物理上りリンク共用チャネルで前記移動局装置から受信する処理と、前記受信したＡＣＫ／ＮＡＣＫビットを復号する処理を実行することを特徴としている。
【００３４】
（２３）また、本発明の無線通信方法は、移動局装置と通信する基地局装置に用いられる無線通信方法であって、物理上りリンク共用チャネルの無線リソースの割り当てを示す制御情報の前記移動局装置への送信に用いられる制御情報フォーマットに応じて、下りリンクデータに対するＡＣＫ／ＮＡＣＫの符号化ビット数の算出に最小値を適用するか否かを決定する処理と、前記ＡＣＫ／ＮＡＣＫの符号化ビット数を算出する処理と、前記算出した符号化ビット数の前記ＡＣＫ／ＮＡＣＫを物理上りリンク共用チャネルで前記移動局装置から受信する処理と、前記受信した前記ＡＣＫ／ＮＡＣＫビットを復号する処理を実行することを特徴としている。
【００３５】
（２４）また、本発明の無線通信方法は、移動局装置と通信する基地局装置に用いられる無線通信方法であって、前記移動局装置に対して複数のオフセット値を設定する処理と、物理上りリンク共用チャネルの無線リソースの割り当てを示す制御情報を前記移動局装置へ送信した物理チャネルに応じて、前記設定された複数のオフセット値の中から１つのオフセット値を用いて、下りリンクデータに対するＡＣＫ／ＮＡＣＫの符号化ビット数を算出する処理と、前記算出した符号化ビット数の前記ＡＣＫ／ＮＡＣＫを物理上りリンク共用チャネルで前記移動局装置から受信する処理と、前記受信したＡＣＫ／ＮＡＣＫビットを復号する処理を実行することを特徴としている。
【００３６】
（２５）また、本発明の無線通信方法は、移動局装置と通信する基地局装置に用いられる無線通信方法であって、前記移動局装置に対して複数のオフセット値を設定する処理と、物理上りリンク共用チャネルの無線リソースの割り当てを示す制御情報の前記移動局装置への送信に用いられる制御情報フォーマットに応じて、前記設定された複数のオフセット値の中から１つのオフセット値を用いて、下りリンクデータに対するＡＣＫ／ＮＡＣＫの符号化ビット数を算出する処理と、前記算出した符号化ビット数の前記ＡＣＫ／ＮＡＣＫを物理上りリンク共用チャネルで前記移動局装置から受信する処理と、前記受信したＡＣＫ／ＮＡＣＫビットを復号する処理を実行することを特徴としている。
【００３７】
（２６）また、本発明の集積回路は、基地局装置と通信する移動局装置に用いられる集積回路であって、下りリンクデータに対するＡＣＫ／ＮＡＣＫビットのシーケンスを２つのＡＣＫ／ＮＡＣＫビットのシーケンスに分割する処理と、前記分割されたＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する処理を含む一連の処理が実行可能にチップ化されたことを特徴としている。
【００３８】
（２７）また、本発明の集積回路は、基地局装置と通信する移動局装置に用いられる集積回路であって、物理上りリンク共用チャネルの無線リソースの割り当てを示す制御情報を前記基地局装置から受信した物理チャネルに応じて、下りリンクデータに対するＡＣＫ／ＮＡＣＫの符号化ビット数の算出に最小値を適用するか否かを決定する処理が実行可能にチップ化されたことを特徴としている。
【００３９】
（２８）また、本発明の集積回路は、基地局装置と通信する移動局装置に用いられる無線通信方法であって、物理上りリンク共用チャネルの無線リソースの割り当てを示す制御情報の送信に用いられる制御情報フォーマットに応じて、下りリンクデータに対するＡＣＫ／ＮＡＣＫの符号化ビット数の算出に最小値を適用するか否かを決定する処理を実行する処理が実行可能にチップ化されたことを特徴としている。
【００４０】
（２９）また、本発明の集積回路は、基地局装置と通信する移動局装置に用いられる集積回路であって、前記基地局装置によって複数のオフセット値を設定される処理と、物理上りリンク共用チャネルの無線リソースの割り当てを示す制御情報を前記基地局装置から受信した物理チャネルに応じて、前記設定された複数のオフセット値の中から１つのオフセット値を用いて、下りリンクデータに対するＡＣＫ／ＮＡＣＫの符号化ビット数を算出する処理とを含む一連の処理が実行可能にチップ化されたことを特徴としている。
【００４１】
（３０）また、本発明の集積回路は、基地局装置と通信する移動局装置に用いられる集積回路であって、前記基地局装置によって複数のオフセット値を設定される処理と、物理上りリンク共用チャネルの無線リソースの割り当てを示す制御情報の送信に用いられる制御情報フォーマットに応じて、前記設定された複数のオフセット値の中から１つのオフセット値を用いて、下りリンクデータに対するＡＣＫ／ＮＡＣＫの符号化ビット数を算出する処理とを含む一連の処理が実行可能にチップ化されたことを特徴としている。
【００４２】
（３１）また、本発明の集積回路は、移動局装置と通信する基地局装置に用いられる集積回路であって、２つのＡＣＫ／ＮＡＣＫビットのシーケンスそれぞれのビット数に基づいて、物理上りリンク共用チャネルで送信されるＡＣＫ／ＮＡＣＫの符号化ビット数を分割することによって、前記分割されたＡＣＫ／ＮＡＣＫビットのシーケンスそれぞれの符号化ビット数を算出する処理が実行可能にチップ化されたことを特徴としている。
【００４３】
（３２）また、本発明の集積回路は、移動局装置と通信する基地局装置に用いられる集積回路であって、物理上りリンク共用チャネルの無線リソースの割り当てを示す制御情報を前記移動局装置へ送信した物理チャネルに応じて、下りリンクデータに対するＡＣＫ／ＮＡＣＫの符号化ビット数の算出に最小値を適用するか否かを決定する処理と、前記ＡＣＫ／ＮＡＣＫの符号化ビット数を算出する処理と、
前記算出した符号化ビット数の前記ＡＣＫ／ＮＡＣＫを物理上りリンク共用チャネルで前記移動局装置から受信する処理と、前記受信したＡＣＫ／ＮＡＣＫビットを復号する処理とを含む一連の処理が実行可能にチップ化されたことを特徴としている。
【００４４】
（３３）また、本発明の集積回路は、移動局装置と通信する基地局装置に用いられる集積回路であって、物理上りリンク共用チャネルの無線リソースの割り当てを示す制御情報の前記移動局装置への送信に用いられる制御情報フォーマットに応じて、下りリンクデータに対するＡＣＫ／ＮＡＣＫの符号化ビット数の算出に最小値を適用するか否かを決定する処理と、前記ＡＣＫ／ＮＡＣＫの符号化ビット数を算出する処理と、前記算出した符号化ビット数の前記ＡＣＫ／ＮＡＣＫを物理上りリンク共用チャネルで前記移動局装置から受信する処理と、前記受信した前記ＡＣＫ／ＮＡＣＫビットを復号する処理と
を含む一連の処理が実行可能にチップ化されたことを特徴としている。
【００４５】
（３４）また、本発明の集積回路は、移動局装置と通信する基地局装置に用いられる集積回路であって、前記移動局装置に対して複数のオフセット値を設定する処理と、物理上りリンク共用チャネルの無線リソースの割り当てを示す制御情報を前記移動局装置へ送信した物理チャネルに応じて、前記設定された複数のオフセット値の中から１つのオフセット値を用いて、下りリンクデータに対するＡＣＫ／ＮＡＣＫの符号化ビット数を算出する処理と、前記算出した符号化ビット数の前記ＡＣＫ／ＮＡＣＫを物理上りリンク共用チャネルで前記移動局装置から受信する処理と、前記受信したＡＣＫ／ＮＡＣＫビットを復号する処理とを含む一連の処理が実行可能にチップ化されたことを特徴としている。
【００４６】
（３５）また、本発明の集積回路は、移動局装置と通信する基地局装置に用いられる集積回路であって、前記移動局装置に対して複数のオフセット値を設定する処理と、物理上りリンク共用チャネルの無線リソースの割り当てを示す制御情報の前記移動局装置への送信に用いられる制御情報フォーマットに応じて、前記設定された複数のオフセット値の中から１つのオフセット値を用いて、下りリンクデータに対するＡＣＫ／ＮＡＣＫの符号化ビット数を算出する処理と、前記算出した符号化ビット数の前記ＡＣＫ／ＮＡＣＫを物理上りリンク共用チャネルで前記移動局装置から受信する処理と、前記受信したＡＣＫ／ＮＡＣＫビットを復号する処理とを含む一連の処理が実行可能にチップ化されたことを特徴としている。
【発明の効果】
【００４７】
この発明によれば、移動局装置がＰＵＳＣＨでＡＣＫ／ＮＡＣＫを効率的に送信することができる。
【図面の簡単な説明】
【００４８】
【図１】本発明の無線通信システムの概念図である。
【図２】本発明のセル集約処理の一例を示す図である。
【図３】本発明のＴＤＤの無線通信システムにおける無線フレームの構成の一例を示す図である。
【図４】本発明の下りリンクのサブフレームの構成の一例を示す概略図である。
【図５】本発明の上りリンクのサブフレームの構成の一例を示す概略図である。
【図６】本発明の移動局装置１の構成を示す概略ブロック図である。
【図７】本発明の符号化部１０７１の構成を示す概略ブロック図である。
【図８】本発明のベースシーケンスMi,nを示す表である。
【図９】本発明の符号化シンボルのインタリーブの方法の一例を示す図である。
【図１０】本発明の基地局装置３の構成を示す概略ブロック図である。
【図１１】本発明の移動局装置１の動作の一例を示すフローチャート図である。
【発明を実施するための形態】
【００４９】
以下、図面を参照しながら本発明の実施形態について詳しく説明する。
【００５０】
まず、本発明の物理チャネルについて説明する。
【００５１】
図１は、本発明の無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が割り当てられることを示す。
【００５２】
図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が割り当てられることを示す。以下、移動局装置１Ａ〜１Ｃを移動局装置１という。
【００５３】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。
【００５４】
ＰＢＣＨは、移動局装置１で共通に用いられる制御パラメータ（システム情報）（Broadcast Channel: BCH）を報知するために用いられる物理チャネルである。ＰＢＣＨは、４０ms間隔で送信される。４０ms間隔のタイミングは、移動局装置１においてブラインド検出（blind detection）される。
【００５５】
ＰＤＣＣＨは、下りリンクアサインメント（downlink assignment、またはdownlink grantとも称する。）や上りリンクグラント（uplink grant）などの下りリンク制御情報（Downlink Control Information: DCI）を送信するために用いられる物理チャネルである。下りリンクアサインメントは、ＰＤＳＣＨつまり下りリンクデータに対する変調方式および符号化率に関する情報（Modulation and Coding Scheme: MCS）、無線リソースの割り当てを示す情報などから構成される。上りリンクグラントは、ＰＵＳＣＨつまり上りリンクデータに対する変調方式および符号化率に関する情報、無線リソースの割り当てを示す情報などから構成される。上りリンクグラントは、ＰＤＳＣＨで送信されるランダムアクセスレスポンスのメッセージ２にも含まれる。ランダムアクセスレスポンスに含まれる上りリンクグラントをランダムアクセスレスポンスグラントと称する。
【００５６】
下りリンク制御情報には複数のフォーマットが用いられる。下りリンク制御情報のフォーマットをＤＣＩフォーマット（DCI format）と呼ぶ。下りリンクアサインメントのＤＣＩフォーマットは、基地局装置３がＰＤＳＣＨを１つの送信アンテナポートまたは送信ダイバーシチを用いて送信する場合に用いられるＤＣＩフォーマット１Ａ、基地局装置３がＰＤＳＣＨにＭＩＭＯ  ＳＭ（Multiple Input Multiple Output Spatial Multiplexing）を用いて複数の下りリンクデータ（Downlink Shared Channel: DL-SCH）を送信する場合に用いられるＤＣＩフォーマット２などが用意される。
【００５７】
上りリンクグラントのＤＣＩフォーマットは、移動局装置１がＰＵＳＣＨを１つの送信アンテナポートを用いて送信する場合に用いられるＤＣＩフォーマット０、移動局装置がＰＵＳＣＨにＭＩＭＯ  ＳＭを用いて複数の上りリンクデータ（Uplink Shared Channel: UL-SCH）を送信する場合に用いられるＤＣＩフォーマット４などが用意される。
【００５８】
ＭＩＭＯ  ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。
【００５９】
ＭＩＭＯ  ＳＭを用いた送信側では、複数の信号に対して適切な空間チャネルを形成するための処理（プリコーディング（precoding）と称す）が行われて、プリコーディングの処理が行なわれた複数の信号を複数の送信アンテナを用いて送信する。ＭＩＭＯ  ＳＭを用いた受信側では、複数の受信アンテナを用いて受信された複数の信号に対して空間次元のチャネルで多重された信号を適切に分離するための処理が行なわれる。
【００６０】
基地局装置３は、基地局装置３がスケジューリングしたＰＵＳＣＨで送信される上りリンクデータの数、ＰＵＳＣＨ内に空間多重される領域（以下ではレイヤもしくはLayerと呼称する）の数、上りリンクデータが配置されるレイヤ、移動局装置１が行うプリコーディングの種類を示す情報をＤＣＩフォーマット４に含めて送信する。移動局装置１は、基地局装置３から受信したＤＣＩフォーマット４に基づいて、ＤＣＩフォーマット４が対応するＰＵＳＣＨで送信する上りリンクデータの数、ＰＵＳＣＨ内に空間多重されるレイヤの数、上りリンクデータが配置されるレイヤ、プリコーディングの種類を決定する。移動局装置１は、基地局装置３からＤＣＩフォーマット０またはランダムアクセスレスポンスグラントを受信した場合には、単一の送信アンテナポートを用いて、単一の上りリンクデータをＰＵＳＣＨで送信する。
【００６１】
ＰＤＳＣＨは、ページングチャネル（Paging Channel: PCH）やＰＢＣＨで報知されない、つまりＢＣＨ以外のシステム情報や下りリンクデータを送信するために用いられる物理チャネルである。ＰＭＣＨは、ＭＢＭＳ（Multimedia Broadcast and Multicast Service）に関する情報であるマルチキャストチャネル（Multicast Channel: MCH）を送信するために用いられる物理チャネルである。
【００６２】
ＰＣＦＩＣＨは、ＰＤＣＣＨが配置される領域を示す情報を送信するために用いられる物理チャネルである。ＰＨＩＣＨは、基地局装置３が受信した上りリンクデータの復号の成否を示すＨＡＲＱインディケータを送信するために用いられる物理チャネルである。
【００６３】
基地局装置３がＰＵＳＣＨに含まれる上りリンクデータの復号に成功した場合は、ＨＡＲＱインディケータはＡＣＫ（ACKnowledgement）を示し、基地局装置３がＰＵＳＣＨに含まれる上りリンクデータの復号に失敗した場合は、ＨＡＲＱインディケータはＮＡＣＫ（Negative ACKnowledgement）を示す。尚、同一のＰＵＳＣＨに含まれる複数の上りリンクデータ毎の復号の成否を示す場合は、複数のＨＡＲＱインディケータが、複数のＰＨＩＣＨで送信される。
【００６４】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号は、ＳＣ−ＦＤＭＡを想定して分割された無線リソースにおいて、ＣＡＺＡＣ（Constant Amplitude and Zero Auto-Correlation）系列を用いた符号拡散が行われる。
【００６５】
上りリンク参照信号には、ＰＵＳＣＨまたはＰＵＣＣＨと時間多重されて送信されＰＵＳＣＨとＰＵＣＣＨの伝搬路補償に用いられるＤＭＲＳ（Demodulation Reference Signal）と、ＰＵＳＣＨおよびＰＵＣＣＨとは独立して送信される基地局装置３が上りリンクの伝搬路の状況を推定するのに用いられるＳＲＳ（Sounding Reference Signal）がある。ＤＭＲＳには、サイクリックシフトだけでなく時間領域における拡散符号（Orthogonal Cover Code: OCC）も用いられる。
【００６６】
ＰＵＣＣＨは、下りリンクのチャネル品質を示すチャネル品質情報（Channel Quality Information）、上りリンクの無線リソースの割り当ての要求を示すスケジューリング要求（Scheduling Request: SR）、移動局装置１が受信した下りリンクデータの復号の成否を示すＡＣＫ／ＮＡＣＫ（ＨＡＲＱ−ＡＣＫとも称する。）など、通信の制御に用いられる情報である上りリンク制御情報（Uplink Control Information: UCI）を送信するために用いられる物理チャネルである。
【００６７】
チャネル品質情報には、チャネル品質指標（Channel Quality Indicator: CQI）、ランク指標（Rank Indicator: RI）およびプレコーディングマトリックス指標（Predocing Matrix Indicator: PMI）がある。ＣＱＩは、下りリンクの物理チャネルの誤り訂正方式、誤り訂正の符号化率、データ変調多値数などの無線伝送パラメータを変更するためのチャネル品質を示す情報である。
【００６８】
ＲＩは、下りリンクにおいてＭＩＭＯ  ＳＭ方式にて複数の下りリンクデータを空間多重送信する場合に、移動局装置１が基地局装置３に要求する予め送信信号系列を前処理する信号系列の単位（ストリーム）の数（Ｒａｎｋ）を示す情報である。ＰＭＩは、ＭＩＭＯ  ＳＭ方式にて空間多重送信する場合に移動局装置１が基地局装置３に要求する予め送信信号系列を前処理するプレコーディングの情報である。
【００６９】
ＰＵＳＣＨは、上りリンクデータや上りリンク制御情報を送信するために用いられる物理チャネルである。移動局装置が上りリンク制御情報を送信する時にＰＵＳＣＨの無線リソースを割り当てられていない場合は、上りリンク制御情報はＰＵＣＣＨで送信される。移動局装置が上りリンク制御情報を送信する時にＰＵＳＣＨの無線リソースを割り当てられている場合は、上りリンク制御情報はＰＵＳＣＨで送信される。尚、複数のＰＵＳＣＨの無線リソースを割り当てられている場合は、いずれか１つのＰＵＳＣＨで上りリンク制御情報を送信する。
【００７０】
ＰＲＡＣＨは、ランダムアクセスプリアンブルを送信するために使用される物理チャネルである。ＰＲＡＣＨは、移動局装置１が基地局装置３と時間領域の同期をとることを最大の目的とし、その他に、初期アクセス、ハンドオーバ、再接続要求、および上りリンクの無線リソースの割り当ての要求に用いられる。
【００７１】
上りリンクデータ（ＵＬ−ＳＣＨ）、下りリンクデータ（ＤＬ−ＳＣＨ）、マルチキャストチャネル（ＭＣＨ）、ＰＣＨおよびＢＣＨなどはトランスポートチャネルである。上りリンクデータをＰＵＳＣＨで送信する単位および下りリンクデータをＰＤＳＣＨで送信する単位は、トランスポートブロック（transport block）と呼ばれる。トランスポートブロックは、ＭＡＣ（Media Access Control）層で取り扱われる単位であり、トランスポートブロック毎にＨＡＲＱ（再送信）の制御が行なわれる。
【００７２】
物理層ではトランスポートブロックはコードワード（Cord Word: CW）に対応付けられ、コードワード毎に符号化などの信号処理が行なわれる。トランスポートブロックサイズは、トランスポートブロックのビット数（ペイロードサイズ）である。移動局装置１は上りリンクグラントや下りリンクアサインメントに含まれるＰＵＳＣＨまたはＰＤＳＣＨの無線リソースの割り当てを示す情報によって示される物理リソースブロック（Physical Resource Block; PRB）の数と、ＰＵＳＣＨまたはＰＤＳＣＨの変調方式および符号化率に関する情報（ＭＣＳまたはＭＣＳ＆ＲＶ（Redundancy Version））からトランスポートブロックサイズを認識する。
【００７３】
以下、本発明のセル集約（キャリア集約）について説明する。
【００７４】
図２は、本発明のセル集約処理の一例を示す図である。図２において、横軸は周波数領域、縦軸は時間領域を示す。図２で示されるセル集約処理では、３つのサービングセル（serving cell）（サービングセル１、サービングセル２、サービングセル３）が集約される。集約される複数のサービングセルのうち１つのサービングセルはプライマリセル（Primary cell: Pcell）である。プライマリセルは、ＬＴＥのセルと同等の機能を持つサービングセルである。
【００７５】
プライマリセルを除いたサービングセルはセカンダリセル（Secondary cell: Scell）である。セカンダリセルはプライマリセルよりも機能が制限されたセルであり、主にＰＤＳＣＨおよび／またはＰＵＳＣＨの送受信のために使用される。例えば、移動局装置１はプライマリセルでのみランダムアクセスを行なう。また、移動局装置１はセカンダリセルのＰＢＣＨおよびＰＤＳＣＨで送信されるページングおよびシステム情報を受信しなくてもよい。
【００７６】
下りリンクにおいてサービングセルに対応するキャリアは下りリンクコンポーネントキャリア（Downlink Component Carrier: DL CC）であり、上りリンクにおいてサービングセルに対応するキャリアは上りリンクコンポーネントキャリア（Uplink Component Carrier: UL CC）である。下りリンクにおいてプライマリセルに対応するキャリアは下りリンクプライマリコンポーネントキャリア（Downlink Primary Component Carrier: DL PCC）であり、上りリンクにおいてプライマリセルに対応するキャリアは上りリンクプライマリコンポーネントキャリア（Uplink Primary Component Carrier: UL PCC）である。下りリンクにおいてセカンダリセルに対応するキャリアは下りリンクセカンダリコンポーネントキャリア（Downlink Secondary Component Carrier: DL SCC）であり、上りリンクにおいてセカンダリセルに対応するキャリアは上りリンクセカンダリコンポーネントキャリア（Uplink Secondary Component Carrier: UL SCC）である。
【００７７】
基地局装置３は、プライマリセルには必ずＤＬ  ＰＣＣとＵＬ  ＰＣＣの両方を設定する。また、基地局装置３は、セカンダリセルにはＤＬ  ＳＣＣのみ、またはＤＬ  ＳＣＣとＵＬ  ＳＣＣの両方を設定することができる。また、サービングセルの周波数またはキャリア周波数はサービング周波数またはサービングキャリア周波数と呼称され、プライマリセルの周波数またはキャリア周波数はプライマリ周波数またはプライマリキャリア周波数と呼称され、セカンダリセルの周波数またはキャリア周波数はセカンダリ周波数またはセカンダリキャリア周波数と呼称される。
【００７８】
移動局装置１と基地局装置３は、始めに１つのサービングセルを使用して通信を開始し、通信を開始した後に基地局装置３は、ＲＲＣシグナル（Radio Resource Control signal）を使用して１つのプライマリセルと１つまたは複数のセカンダリセルのセットを移動局装置１に設定する。
【００７９】
図２において、サービングセル１がプライマリセルであり、サービングセル２とサービングセル３がセカンダリセルである。サービングセル１（プライマリセル）にはＤＬ  ＰＣＣとＵＬ  ＰＣＣの両方が設定されており、サービングセル２（セカンダリセル）にはＤＬ  ＳＣＣ−１とＵＬ  ＳＣＣ−２の両方が設定されており、サービングセル３（セカンダリセル）にはＤＬ  ＳＣＣ−２のみが設定されている。
【００８０】
ＤＬ  ＣＣおよびＵＬ  ＣＣで使用されるチャネルは、ＬＴＥと同一のチャネル構造を持つ。図２において、ＤＬ  ＣＣには、斜線でハッチングがされた領域が示すＰＨＩＣＨとＰＣＦＩＣＨとＰＤＣＣＨが配置される領域と、ドットでハッチングがされた領域が示すＰＤＳＣＨが配置される領域がある。ＰＨＩＣＨとＰＣＦＩＣＨとＰＤＣＣＨは、周波数多重および／または時間多重される。ＰＨＩＣＨとＰＣＦＩＣＨとＰＤＣＣＨが周波数多重および／または時間多重される領域と、ＰＤＳＣＨが配置される領域は時間多重される。ＵＬ  ＣＣ各々には、灰色の領域が示すＰＵＣＣＨが配置される領域と、横線でハッチングがされた領域が示すＰＵＳＣＨが配置される領域とが周波数多重される。
【００８１】
セル集約では、１つのサービングセルのＤＬ  ＣＣで最大１つのＰＤＳＣＨが送信されることができ、１つのサービングセルのＵＬ  ＣＣで最大１つのＰＵＳＣＨが送信されることができる。図２では、３つのＤＬ  ＣＣを使用して同時に最大３つのＰＤＳＣＨが送信されることができ、２つのＵＬ  ＣＣを使用して同時に最大２つのＰＵＳＣＨが送信されることができる。
【００８２】
基地局装置３は、下りリンクアサインメントと上りリンクグラントに下りリンクアサインメントと上りリンクグラントがＰＤＳＣＨまたはＰＵＳＣＨの無線リソースを割り当てるサービングセルを示す情報であるキャリアインディケータ（Carrier Indicator）を含むか否かをサービングセル毎に設定する。ＰＨＩＣＨは、ＰＨＩＣＨがＡＣＫ／ＮＡＣＫを示すＰＵＳＣＨの無線リソースの割り当てを示す情報が含まれる上りリンクグラントが送信されたサービングセルで送信される。
【００８３】
ＦＤＤ（Frequency Division Duplex）の無線通信システムでは、単一のサービングセルに対応するＤＬ  ＣＣとＵＬ  ＣＣは異なる周波数に構成される。ＴＤＤ（Time Division Duplex）の無線通信システムでは、単一のサービングセルに対応するＤＬ  ＣＣとＵＬ  ＣＣは同一の周波数に構成され、サービング周波数において上りリンクサブフレームと下りリンクサブフレームが時間多重される。
【００８４】
図３は、本発明のＴＤＤの無線通信システムにおける無線フレームの構成の一例を示す図である。図３において、横軸は周波数領域、縦軸は時間領域を示す。図３において、白色の四角は下りリンクサブフレームを示し、斜線でハッチングがされた四角は下りリンクサブフレームを示し、ドットでハッチングがされた四角はスペシャルサブフレームを示す。サブフレームに付された番号（＃ｉ）は無線フレーム内のサブフレームの番号を示している。
【００８５】
下りリンクサブフレームでは、ＰＤＣＣＨやＰＤＳＣＨなどの下りリンクの信号が送信される。上りリンクサブフレームでは、ＰＵＣＣＨやＰＵＳＣＨなどの上りリンクの信号が送信される。スペシャルサブフレームは、３つの領域ＤｗＰＴＳ（Downlink Pilot Time Slot）およびＧＰ（Guard Period）およびＵｐＰＴＳ（Uplink Pilot Time Slot）を含む。ＤｗＰＴＳとＧＰとＵｐＰＴＳは時間多重される。ＤｗＰＴＳはＰＤＣＣＨやＰＤＳＣＨなどの下りリンクの信号が送信される領域である。ＵｐＰＴＳはＳＲＳおよび／またはＰＲＡＣＨが送信される領域であり、ＵｐＰＴＳではＰＵＣＣＨおよびＰＵＳＣＨは送信されない。ＧＰは移動局装置１および基地局装置３が上りリンクの送受信と下りリンクの送受信をスイッチするための期間である。
【００８６】
セル集約される全てのサービングセルは同一のサブフレームパターンを持つ。つまり、あるタイミングにおいて、移動局装置１と基地局装置３はセル集約される全てのサービングセルで同じ種類のサブフレームを用いた無線通信をする。図３において、移動局装置１がサービングセル１からサービングセル３のサブフレーム＃８とサブフレーム＃９とサブフレーム＃０とサブフレーム＃１（図３の太い点線で囲まれたサブフレーム）のＰＤＳＣＨで受信したトランスポートブロックに対する複数のＡＣＫ／ＮＡＣＫはサブフレーム＃１から６つ後のサブフレーム＃７のＰＵＣＣＨまたはＰＵＳＣＨで送信される。また、移動局装置１がサービングセル１からサービングセル３のサブフレーム＃３からサブフレーム＃６（図３の太い実線で囲まれたサブフレーム）のＰＤＳＣＨで受信したトランスポートブロックに対する複数のＡＣＫ／ＮＡＣＫはサブフレーム＃６から６つ後のサブフレーム＃２のＰＵＣＣＨまたはＰＵＳＣＨで送信される。
【００８７】
以下、本発明のサブフレームの構成について説明する。
【００８８】
図４は、本発明の下りリンクのサブフレームの構成の一例を示す概略図である。図４において、横軸は時間領域、縦軸は周波数領域である。図４に示すように、ＤＬ  ＣＣのサブフレームは、複数の下りリンクの物理リソースブロック（Physical Resource Block; PRB）ペア（例えば、図４の破線で囲まれた領域）から構成されている。この下りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００８９】
１個の下りリンクの物理リソースブロックペアは、時間領域で連続する２個の下りリンクの物理リソースブロック（PRB帯域幅×スロット）から構成される。１個の下りリンクの物理リソースブロック（図４において、太線で囲まれている単位）は、周波数領域において１２個のサブキャリア（１５kHz）から構成され、時間領域において７個のＯＦＤＭ（Orthogonal Frequency Division Multiplexing）シンボル（７１μs）から構成される。
【００９０】
時間領域においては、１個のサブフレーム（１ｍｓ）は２つのスロット（０．５ｍｓ）から構成される。また１つのスロットは７個のＯＦＤＭシンボル（約７１μｓ）から構成される。サブフレームと同じ時間間隔である1msのことを、送信時間間隔（Transmit Time Interval: TTI）とも称する。周波数領域においては、ＤＬ  ＣＣの帯域幅に応じて複数の下りリンクの物理リソースブロックが配置される。尚、１個のサブキャリアと１個のＯＦＤＭシンボルから構成されるユニットを下りリンクリソースエレメントと称する。
【００９１】
以下、下りリンクに割り当てられる物理チャネルの配置について説明する。下りリンクの各サブフレームには、ＰＤＣＣＨ、ＰＣＦＩＣＨ、ＰＨＩＣＨ、ＰＤＳＣＨ、および下りリンク参照信号などが配置される。ＰＤＣＣＨはサブフレームの先頭のＯＦＤＭシンボルから（図３において、左斜線でハッチングがされた領域）配置される。ＰＤＣＣＨが配置されるＯＦＤＭシンボルの数はサブフレーム毎に異なり、ＰＤＣＣＨが配置されるＯＦＤＭシンボルの数を示す情報はサブフレーム内の１番目のＯＦＤＭシンボルで送信されるＰＣＦＩＣＨで報知される。各サブフレームでは、複数のＰＤＣＣＨが周波数多重および時間多重される。
【００９２】
ＰＣＦＩＣＨはサブフレームの先頭のＯＦＤＭシンボルに配置され、ＰＤＣＣＨと周波数多重される。ＰＨＩＣＨは、ＰＤＣＣＨと同一のＯＦＤＭシンボル内で周波数多重される。各サブフレームでは、複数のＰＨＩＣＨが周波数多重および符号多重される。移動局装置１は、ＰＵＳＣＨを送信してから所定の時間後（例えば、４ms後、４サブフレーム後、４ＴＴＩ後）の下りリンクのサブフレームのＰＨＩＣＨで、このＰＵＳＣＨで送信した上りリンクデータに対するＡＣＫ／ＮＡＣＫを受信する。
【００９３】
ＰＤＳＣＨは、サブフレーム内のＰＤＣＣＨおよびＰＣＦＩＣＨおよびＰＨＩＣＨが配置されるＯＦＤＭシンボル以外のＯＦＤＭシンボル（図４において、ハッチングがされない領域）に配置される。ＰＤＳＣＨの無線リソースの割り宛ては、下りリンクアサインメントを用いて移動局装置１に示される。ＰＤＳＣＨの無線リソースは、時間領域において、このＰＤＳＣＨの割り当てを示す下りリンクアサインメントを含むＰＤＣＣＨと同一の下りリンクのサブフレームに配置される。
【００９４】
ＰＤＳＣＨと、このＰＤＳＣＨに対するＰＤＣＣＨは同じまたは異なるサービングセルに配置される。各下りリンクコンポーネントキャリアのサブフレームでは、複数のＰＤＳＣＨが周波数多重および空間多重される。下りリンク参照信号については、説明の簡略化のため図４において図示を省略するが、下りリンク参照信号は周波数領域と時間領域において分散して配置される。
【００９５】
図５は、本発明の上りリンクのサブフレームの構成の一例を示す概略図である。図５において、横軸は時間領域、縦軸は周波数領域である。図５に示すように、ＵＬ  ＣＣのサブフレームは、複数の上りリンクの物理リソースブロックペア（例えば、図５の破線で囲まれた領域）から構成されている。この上りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００９６】
１個の上りリンクの物理リソースブロックペアは、時間領域で連続する２個の上りリンクの物理リソースブロック（PRB帯域幅×スロット）から構成される。１個の上りリンクの物理リソースブロック（図５において、太線で囲まれている単位）は、周波数領域において１２個のサブキャリアから構成され、時間領域において７個のＳＣ−ＦＤＭＡ（Single-Carrier Frequency Division Multiple Access）シンボル（７１μs）から構成される。
【００９７】
時間領域においては、１個のサブフレーム（１ｍｓ）は２つのスロット（０．５ｍｓ）から構成される。また１つのスロットは７個のＳＣ−ＦＤＭＡシンボル（時間シンボル）（約７１μｓ）から構成される。サブフレームと同じ時間間隔である1msのことを、送信時間間隔（Transmit Time Interval: TTI）とも称する。周波数領域においては、ＵＬ  ＣＣの帯域幅に応じて複数の上りリンクの物理リソースブロックが配置される。尚、１個のサブキャリアと１個のＳＣ−ＦＤＭＡシンボルから構成されるユニットを上りリンクリソースエレメントと称する。
【００９８】
以下、上りリンクの無線フレーム内に割り当てられる物理チャネルについて説明する。上りリンクの各サブフレームには、ＰＵＣＣＨ、ＰＵＳＣＨ、ＰＲＡＣＨおよび上りリンク参照信号などが配置される。ＰＵＣＣＨは、上りリンクの帯域の両端の上りリンクの物理リソースブロック（左斜線でハッチングがされた領域）に配置される。各サブフレームでは、複数のＰＵＣＣＨが周波数多重および符号多重される。
【００９９】
ＰＵＳＣＨは、ＰＵＣＣＨが配置される上りリンクの物理リソースブロック以外の上りリンクの物理リソースブロックペア（ハッチングがされない領域）に配置される。ＰＵＳＣＨの無線リソースは、上りリンクグラントを用いて割り当てられ、この上りリンクグラントを含むＰＤＣＣＨが配置された下りリンクのサブフレームから所定の時間後（例えば、４ms後、４サブフレーム後、４ＴＴＩ後）の上りリンクのサブフレームに配置される。各サブフレームでは、複数のＰＵＳＣＨが周波数多重および空間多重される。
【０１００】
ＰＲＡＣＨが配置されるサブフレームおよび上りリンクの物理リソースブロックを示す情報は、基地局装置によって報知される。上りリンク参照信号は、ＰＵＳＣＨとＰＵＣＣＨと時間多重されて送信される。ＰＵＳＣＨと上りリンク参照信号が時間多重される場合は、上りリンク参照信号は周波数領域においてＰＵＳＣＨが割り当てられたのと同じ周波数帯域に配置され、時間領域において４番目と１１番目のＳＣ−ＦＤＭＡシンボルに配置される。ＰＵＣＣＨと上りリンク参照信号が時間多重される場合は、上りリンク参照信号は周波数領域においてＰＵＣＣＨが割り当てられたのと同じ周波数帯域に配置され、時間領域において２番目と５番目と９番目と１３番目のＳＣ−ＦＤＭＡシンボルに配置される。
【０１０１】
以下、本発明のランダムアクセスについて説明する。
【０１０２】
ランダムアクセスには、Contention based Random Accessと、Non-contention based Random Accessの２つのアクセス方法がある。Contention based Random Accessは、移動局装置１間で衝突する可能性のあるアクセス方法であり、通常行なわれるランダムアクセスである。Non-contention based Random Accessは、移動局装置１間で衝突が発生しないアクセス方法であり、迅速に移動局装置１と基地局装置３間の同期をとるためにハンドオーバ等の特別な場合に基地局装置３主導で行なわれるランダムアクセスである。
【０１０３】
以下、Contention based Random Accessについて説明する。Contention based Random Accessでは、同期をとるために移動局装置１はプリアンブル（メッセージ１）を送信する。プリアンブルは、情報を表す信号パターンであるシグネチャが含まれ、数十種類のシグネチャを用意して数ビットの情報を表現することができる。移動局装置１は、プリアンブルを用いて６ビットの情報を送信するので、６４種類のシグネチャが用意される。
【０１０４】
基地局装置３は、移動局装置１から送信されたプリアンブルを受信すると、プリアンブルから移動局装置１と基地局装置３間の同期タイミングのずれを算出し、移動局装置１がメッセージ３を送信するためのスケジューリングを行なう。そして、基地局装置３はプリアンブルを送信した移動局装置１にＴｅｍｐｏｒａｒｙ  Ｃ−ＲＮＴＩ（Cell-Radio Network Temporary Identifier）を割り当て、プリアンブルを受信したＰＲＡＣＨに対応するＲＡ−ＲＮＴＩ（Random Access-Radio Network Temporary Identifier）をＰＤＣＣＨに含めて配置し、このＰＤＣＣＨによって無線リソースの割り当てを示されるＰＤＳＣＨに同期タイミングのずれ情報、ランダムアクセスレスポンスグラント、Ｔｅｍｐｏｒａｒｙ  Ｃ−ＲＮＴＩおよび受信したプリアンブルのシグネチャの番号（ランダムID、またはプリアンブルIDとも呼称する。）を含んだランダムアクセスレスポンス（メッセージ２）を送信する。
【０１０５】
移動局装置１は、検出したＰＤＣＣＨにＲＡ−ＲＮＴＩが含まれていることを確認すると、ＰＤＣＣＨに含まれる無線リソース割り当てが示すＰＤＳＣＨに配置されたランダムアクセスレスポンスの中身を確認する。移動局装置１は自装置が送信したプリアンブルのシグネチャの番号が含まれる応答を抽出し、同期タイミングのずれを補正し、ランダムアクセスレスポンスグラントによって無線リソースを割り当てられたＰＵＳＣＨで予め基地局装置３から設定されているＣ−ＲＮＴＩ、または接続要求のメッセージ（RRCConnectionRequest message）、または接続再設定要求のメッセージ（RRCConnectionReestablishmentRequest message）を含むメッセージ３を送信する。なお、Contention based Random Accessのメッセージ３を送信するＰＵＳＣＨは、上りリンク制御情報を送信することはできない。移動局装置１は、Contention based Random Accessのメッセージ３をＰＵＳＣＨで送信するサブフレームでは、上りリンク制御情報を送信しない。
【０１０６】
基地局装置３は、移動局装置１からのメッセージ３を受信すると、受信したメッセージ３に含まれるＣ−ＲＮＴＩ、接続要求のメッセージ、または接続再設定要求のメッセージに含まれる移動局装置１を識別する情報を使用して移動局装置１間で衝突が起こっているかどうか判断するためのコンテンションレゾリューション（メッセージ４）を移動局装置１に送信する。基地局装置３は、メッセージ３の復号に失敗した場合は、復号に失敗したメッセージ３が対応するＴ  Ｃ−ＲＮＴＩを含むＤＣＩフォーマット０を用いて移動局装置１にメッセージ３の再送を指示してもよい。
【０１０７】
以下、Non-contention based Random Accessについて説明する。Non-contention based Random Accessでは、基地局装置３が、移動局装置１にＲＡＣＨで送信するプリアンブルの種類および移動局装置１が送信するＲＡＣＨの周波数および時間リソースをＰＤＣＣＨまたはＰＤＳＣＨで通知する。移動局装置１は、基地局装置３から通知されたＲＡＣＨの周波数および時間リソースで基地局装置３から通知された種類のプリアンブル（メッセージ１）を送信する。
【０１０８】
基地局装置３は、移動局装置１から基地局装置３が通知した種類のプリアンブルを受信し、移動局装置１と基地局装置３間の同期タイミングのずれを算出する。基地局装置３は、プリアンブルを受信したＰＲＡＣＨに対応するＲＡ−ＲＮＴＩをＰＤＣＣＨに含めて配置し、このＰＤＣＣＨによって無線リソースの割り当てを示されるＰＤＳＣＨに同期タイミングのずれ情報、ランダムアクセスレスポンスグラント、受信したプリアンブルのシグネチャの番号を含んだランダムアクセスレスポンス（メッセージ２）を送信する。なお、Non-contention based Random Accessでは、メッセージ２のＴｅｍｐｏｒａｒｙ  Ｃ−ＲＮＴＩを示す領域は使用されない。
【０１０９】
移動局装置１は、検出したＰＤＣＣＨにＲＡ−ＲＮＴＩが含まれていることを確認すると、ＰＤＣＣＨに含まれる無線リソース割り当てが示すＰＤＳＣＨに配置されたランダムアクセスレスポンスの中身を確認する。移動局装置１は、自装置が送信したプリアンブルのシグネチャの番号が含まれる応答を抽出し、同期タイミングのずれを補正し、Non-contention based Random Accessに関する処理を終了する。なお、Non-contention based Random Accessでは、移動局装置１は、メッセージ２のＴｅｍｐｏｒａｒｙ  Ｃ−ＲＮＴＩを示す領域を確認しない。Non-contention based Random Accessでは、基地局装置３は、ランダムアクセスレスポンスグラントを用いて移動局装置１にＰＵＳＣＨの無線リソースを割り当て、移動局装置１は、ランダムアクセスレスポンスグラントによって無線リソースを割り当てられたられたＰＵＳＣＨでメッセージ３ではないトランスポートブロックを送信することができる。Non-contention based Random Accessのランダムアクセスレスポンスグラントによって無線リソースを割り当てられたＰＵＳＣＨは、上りリンク制御情報を送信することができる。
【０１１０】
以下、本発明の移動局装置１の装置構成について説明する。
【０１１１】
図６は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【０１１２】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【０１１３】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した上りリンクデータの復号に成功した場合には、ＡＣＫを生成し送信部１０７にＡＣＫを出力し、受信した上りリンクデータの復号に失敗した場合には、ＮＡＣＫを生成し、送信部１０７にＮＡＣＫを出力する。
【０１１４】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、ＮＡＣＫを示すＨＡＲＱインディケータを受信したサブフレームから４つ後のサブフレームにおいて、スケジューリング部１０１３によって記憶されている上りリンクグラントに従ってＰＵＳＣＨの再送信を行なうよう、制御部１０３を介して送信部１０７を制御する。スケジューリング部１０１３は、下りリンクアサインメントを受信したサブフレームにおいて、受信された下りリンクアサインメントに従ってＰＤＳＣＨを受信するよう、制御部１０３を介して受信部１０５を制御する。
【０１１５】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１１６】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１１７】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１１８】
多重分離部１０５５は、抽出した信号をＰＨＩＣＨ、ＰＤＣＣＨ、ＰＤＳＣＨ、および下りリンク参照信号に、それぞれ分離する。尚、この分離は、下りリンクアサインメントで通知された無線リソースの割り当て情報などに基づいて行われる。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１１９】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ（Quadrature Phase Shift Keying）変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。復調部１０５３は、ＰＤＳＣＨに対して、ＱＰＳＫ、１６ＱＡＭ（Quadrature Amplitude Modulation）、６４ＱＡＭ等の下りリンクアサインメントで通知された変調方式の復調を行ない、復号化部１０５１へ出力する。
【０１２０】
復号化部１０５１は、下りリンク制御情報で通知された符号化率に関する情報に基づいて復号を行い、復号した下りリンクデータを上位層処理部１０１へ出力する。チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１２１】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【０１２２】
符号化部１０７１は、上位層処理部１０１から入力された上りリンク制御情報と上りリンクデータを符号化し、符号化ビットをＰＵＳＣＨ生成部および／またはＰＵＣＣＨ生成部に出力する。図７は、本発明の符号化部１０７１の構成を示す概略ブロック図である。符号化部１０７１は、データ符号化部１０７１ａ、ＨＡＲＱ−ＡＣＫ連結部１０７１ｂ、ＨＡＲＱ−ＡＣＫ分割部１０７１ｃ、ＲＭ符号化部１０７１ｄ、ＲＭ符号化部１０７１ｅ、符号化ビット連結部１０７１ｆとインタリーブ部１０７１ｇを含んで構成される。
【０１２３】
データ符号化部１０７１ａは、基地局装置３から受信した上りリンクグラントに基づいて上位層１０１から入力された上りリンクデータａｉに上りリンクデータから生成された巡回冗長検査符号を付加してから誤り訂正符号化し、上りリンクデータの符号化ビットｆｉをインタリーブ部へ出力する。Ａは上りリンクデータのペイロードサイズ（ビット数）である。Ｇは上りリンクデータの符号化ビット数である。ＨＡＲＱ−ＡＣＫ連結部１０７１ｂは、上位層１０１から入力された複数のＡＣＫ／ＮＡＣＫを連結し、連結されたＡＣＫ／ＮＡＣＫ（ＡＣＫ／ＮＡＣＫビットのシーケンス）［ｏ0ｏ1…ｏO-1］をＨＡＲＱ−ＡＣＫ分割部１０７１ｃへ出力する。Ｏは、上位層１０１から入力されるＡＣＫ／ＮＡＣＫのビット数を示す、つまり、あるサブフレームで送信されるＡＣＫ／ＮＡＣＫのビット数を示す。本発明では、ＨＡＲＱ−ＡＣＫ連結部１０７１ｂはＡＣＫ／ＮＡＣＫのみを連結するが、ＡＣＫ／ＮＡＣＫおよびＣＱＩ／ＰＭＩ／ＲＩおよびＳＲをＰＵＣＣＨで送信する際には、ＨＡＲＱ−ＡＣＫ連結部１０７１ｂはＡＣＫ／ＮＡＣＫおよびＣＱＩ／ＰＭＩ／ＲＩおよびＳＲを連結してもよい。
【０１２４】
ＨＡＲＱ−ＡＣＫ分割部１０７１ｃは、入力されたＡＣＫ／ＮＡＣＫ［ｏ0ｏ1…ｏO-1］を第１のＡＣＫ／ＮＡＣＫセグメント（分割されたＡＣＫ／ＮＡＣＫビットのシーケンス）［ｏ0ｏ1…ｏceil(O/2)-1］と第２のＡＣＫ／ＮＡＣＫセグメント（分割されたＡＣＫ／ＮＡＣＫビットのシーケンス）［ｏceil(O/2)ｏceil(O/2)+1…ｏO-1］に分割し、第１のＡＣＫ／ＮＡＣＫセグメントをＲＭ（Reed-Muller）符号化部１０７１ｄへ出力し、第２のＡＣＫ／ＮＡＣＫセグメントをＲＭ符号化部１０７１ｅへ出力する。第１のＡＣＫ／ＮＡＣＫセグメントのペイロードサイズ（ビット数）Ｏ1は（１）式で表される。第２のＡＣＫ／ＮＡＣＫのペイロードサイズ（ビット数）Ｏ2は（２）式で表される。ｃｅｉｌ（・）は括弧の中の数字を切り上げる関数である。
【０１２５】
【数１】
2012129761.tif 000003
【０１２６】
【数２】
2012129761.tif 000004
【０１２７】
ＲＭ符号化部１０７１ｄは、入力された第１のＡＣＫ／ＮＡＣＫセグメントを（３）式に従ってＲＭ符号化し、第１のＡＣＫ／ＮＡＣＫセグメントの符号化ビットｑ(0)iを符号化ビット連結部１０７１ｆへ出力する。ＲＭ符号化部１０７１ｅは、入力された第２のＡＣＫ／ＮＡＣＫセグメントを（４）式に従ってＲＭ符号化し、第２のＡＣＫ／ＮＡＣＫセグメントの符号化ビットｑ(1)iを符号化ビット連結部１０７１ｆへ出力する。（３）式および（４）式におけるMi,nはリードマラー符号のベースシーケンスである。図８は、本発明のベースシーケンスMi,nを示す表である。
【０１２８】
【数３】
2012129761.tif 000005
【０１２９】
【数４】
2012129761.tif 000006
【０１３０】
図７において、Ｑ1は、第１のＡＣＫ／ＮＡＣＫセグメントの符号化ビットのビット数を示す。Ｑ2は、第２のＡＣＫ／ＮＡＣＫセグメントの符号化ビットのビット数を示す。ＡＣＫ／ＮＡＣＫがＰＵＣＣＨで送信される場合には、Ｑ1とＱ2それぞれを２４とする。ＡＣＫ／ＮＡＣＫがＰＵＳＣＨで送信される場合には、Ｑ1は（５）式から算出され、Ｑ2は（６）式から算出される。ＡＣＫ／ＮＡＣＫがＰＵＳＣＨで送信される場合には、ＱmはＰＵＳＣＨでＡＣＫ／ＮＡＣＫとともに送信される上りリンクデータの変調方式の変調多値数である。ＡＣＫ／ＮＡＣＫがＰＵＣＣＨで送信される場合には、Ｑmは２である。ＱＰＳＫ変調方式の変調多値数は２である。１６ＱＡＭの変調多値数は４である。６４ＱＡＭの変調多値数は６である。
【０１３１】
【数５】
2012129761.tif 000007
【０１３２】
【数６】
2012129761.tif 000008
【０１３３】
ＰＵＳＣＨで送信されるＡＣＫ／ＮＡＣＫの符号化ビット数Ｑは、Ｑ1とＱ2の和である。つまり、ＰＵＳＣＨで送信されるＡＣＫ／ＮＡＣＫの符号化ビット数Ｑは、ＱmとＱ’の積である。
【０１３４】
移動局装置１が２つの上りリンクデータが送信されるＰＵＳＣＨでＡＣＫ／ＮＡＣＫを送信する場合には、移動局装置１はＡＣＫ／ＮＡＣＫを２つのＡＣＫ／ＮＡＣＫに複製する。上りリンクデータそれぞれは、複製されたＡＣＫ／ＮＡＣＫと時間多重される。複製されたＡＣＫ／ＮＡＣＫそれぞれの符号化ビットの数は、複製されたＡＣＫ／ＮＡＣＫが時間多重される上りリンクデータのＱmを用いて（５）式および（６）式から算出する。
【０１３５】
このように、移動局装置１は、ＰＵＳＣＨで送信できるＡＣＫ／ＮＡＣＫの符号化ビットの数を、符号化前のＡＣＫ／ＮＡＣＫセグメントのビット数（ＲＭ符号化部１０７１ｄとＲＭ符号化部１０７１ｅそれぞれに入力されるＡＣＫ／ＮＡＣＫのビット数）に応じてＡＣＫ／ＮＡＣＫセグメントそれぞれに対して分配する。つまり、移動局装置１は、ＡＣＫ／ＮＡＣＫセグメントそれぞれのビット数を算出する際に、ＡＣＫ／ＮＡＣＫセグメントのビット数に基づいて、ＰＵＳＣＨで送信されるＡＣＫ／ＮＡＣＫの符号化ビット数Ｑ’を分割する割合を決定する。これにより、符号化前のビット数が多いＡＣＫ／ＮＡＣＫセグメントの符号化ビット数を、符号化前のビット数が少ないＡＣＫ／ＮＡＣＫセグメントの符号化ビット数よりも多くすることができ、移動局装置１がＰＵＳＣＨでＡＣＫ／ＮＡＣＫを効率的に送信することができる。
【０１３６】
（７）式は、移動局装置１が、基地局装置３から受信したＤＣＩフォーマット０またはNon-contention based Random Accessのランダムアクセスレスポンスグラントによって無線リソースの割り当てを示されるＰＵＳＣＨを使用してＡＣＫ／ＮＡＣＫを送信する際に、Ｑ’を計算するために用いる式である。Ｑ’は、ＡＣＫ／ＮＡＣＫがＰＵＳＣＨで送信される際の、ＡＣＫ／ＮＡＣＫの送信に用いられるリソースエレメントの数およびＡＣＫ／ＮＡＣＫの送信に用いられる変調シンボルの数およびＡＣＫ／ＮＡＣＫの送信に用いられる符号化シンボルの数を示す。
【０１３７】
【数７】
2012129761.tif 000009
【０１３８】
ｍｉｎ（・）は括弧の中で最も小さい数字を選択する関数である。ＭＰＵＳＣＨ−ｉｎｉｔｉａｌＳＣは、ＡＣＫ／ＮＡＣＫとともにＰＵＳＣＨで送信される上りリンクデータのＰＵＳＣＨ初期送信のためにスケジュールされた帯域幅を示し、サブキャリアの数で表現される。ＮＰＵＳＣＨ−ｉｎｉｔｉａｌｓｙｍｂは、ＡＣＫ／ＮＡＣＫとともにＰＵＳＣＨで送信される上りリンクデータのＰＵＳＣＨ初期送信のためのサブフレーム内のＳＣ−ＦＤＭＡシンボル数を示す。ＫはＰＵＳＣＨで送信される上りリンクデータのペイロードサイズＡと、この上りリンクデータに付加された巡回冗長検査符号の系列長の和を示す。ＭＰＵＳＣＨＳＣは、ＡＣＫ／ＮＡＣＫとともにＰＵＳＣＨで送信される上りリンクデータのための現在のサブフレーム内のＰＵＳＣＨ送信のためにスケジュールされた帯域幅を示し、サブキャリアの数で表現される。
【０１３９】
βＰＵＳＣＨｏｆｆｓｅｔは、基地局装置３によって移動局装置１毎に設定され、無線リソース制御信号（Radio Resource Control signal: RRC signal）などを用いて基地局装置３から移動局装置１へ通知されるオフセット値である。移動局装置１は、基地局装置３によって設定されたβＰＵＳＣＨｏｆｆｓｅｔを（７）式に適用してＱ’を算出する。つまり、βＰＵＳＣＨｏｆｆｓｅｔによって、ＡＣＫ／ＮＡＣＫの送信に用いられるリソースエレメントの数およびＡＣＫ／ＮＡＣＫの送信に用いられる変調シンボルの数およびＡＣＫ／ＮＡＣＫの送信に用いられる符号化シンボルの数が決定される。つまり、βＰＵＳＣＨｏｆｆｓｅｔによって、ＡＣＫ／ＮＡＣＫの符号化率（coding rate）が決定される（ＡＣＫ／ＮＡＣＫの変調および符号化方式（modulation and coding scheme）が決定されても良い）。
【０１４０】
（８）式から(１１)式は、移動局装置１が、基地局装置３から受信したＤＣＩフォーマット４によって無線リソースの割り当てを示されるＰＵＳＣＨでＡＣＫ／ＮＡＣＫを送信する際に、Ｑ’を計算するために用いる式である。
【０１４１】
【数８】
2012129761.tif 000010
【０１４２】
【数９】
2012129761.tif 000011
【０１４３】
【数１０】
2012129761.tif 000012
【０１４４】
【数１１】
2012129761.tif 000013
【０１４５】
ｍａｘ（・）は括弧の中で最も大きい数字を選択する関数である。ＮTBは、ＤＣＩフォーマット４によって無線リソースの割り当てを示されたＰＵＳＣＨで送信されるトランスポートブロックの数を示す。基地局装置３は、ＤＣＩフォーマット４を用いて移動局装置１にＮTBを通知する。ＭＰＵＳＣＨ−ｉｎｉｔｉａｌ(i)ＳＣは、ＡＣＫ／ＮＡＣＫとともにＰＵＳＣＨで送信される第ｉの上りリンクデータのＰＵＳＣＨ初期送信のためにスケジュールされた帯域幅を示し、サブキャリアの数で表現される。ＮＰＵＳＣＨ−ｉｎｉｔｉａｌ(i)ｓｙｍｂは、ＡＣＫ／ＮＡＣＫとともにＰＵＳＣＨで送信される第ｉの上りリンクデータのＰＵＳＣＨ初期送信のためのサブフレーム内のＳＣ−ＦＤＭＡシンボル数を示す。Ｋ(i)はＰＵＳＣＨで送信される第ｉの上りリンクデータのペイロードサイズと、この第ｉの上りリンクデータに付加された巡回冗長検査符号の系列長の和を示す。
【０１４６】
尚、基地局装置３も、（７）式から（１１）式を用いてＱ’を算出し、（５）式と（６）式を用いて第１のＡＣＫ／ＮＡＣＫセグメントおよび第２のＡＣＫ／ＮＡＣＫセグメントの符号化ビット数を算出し、算出した結果に基づいて移動局装置１がＰＵＳＣＨで送信したＡＣＫ／ＮＡＣＫの受信処理（復号処理）をする。
【０１４７】
（８）式により、Ｑ’tempの値がＱ’minの値よりも小さい場合には、移動局装置１はＱ’の値としてＱ’minの値を選択する。Ｑ1mは、単一のＰＵＳＣＨで２つの上りリンクデータが送信される際の第１の上りリンクデータの変調多値数、単一のＰＵＳＣＨで１つの上りリンクデータが送信される際の上りリンクデータの変調多値数を示している。Ｑ2mは、単一のＰＵＳＣＨで２つの上りリンクデータが送信される際の、第２の上りリンクデータの変調多値数を示している。
【０１４８】
つまり、移動局装置１が、基地局装置３から受信したＤＣＩフォーマット０またはNon-contention based Random Accessのランダムアクセスレスポンスグラントによって無線リソースの割り当てを示されるＰＵＳＣＨでＡＣＫ／ＮＡＣＫを送信する際には最小値Ｑ’minは定義されず、移動局装置１が、基地局装置３から受信したＤＣＩフォーマット４によって無線リソースの割り当てを示されるＰＵＳＣＨでＡＣＫ／ＮＡＣＫを送信する際には最小値Ｑ’minが定義される。
【０１４９】
従って、移動局装置１は、ＡＣＫ／ＮＡＣＫが送信されるＰＵＳＣＨの無線リソースの割り当てを示すＤＣＩフォーマットの種類に応じて、Ｑ’の算出に最小値Ｑ’minを適用するか否かを選択する。また、移動局装置１は、ＡＣＫ／ＮＡＣＫが送信されるＰＵＳＣＨの無線リソースの割り当てを示す上りリンクグラントを受信した物理チャネルの種類に応じて、Ｑ’の算出に最小値Ｑ’minを適用するか否かを選択する。
【０１５０】
これにより、基地局装置３は、移動局装置１に上りリンクグラントを送信するために用いた物理チャネルの種類に応じて、移動局装置１がＰＵＳＣＨでＡＣＫ／ＮＡＣＫを送信する際に、Ｑ’の算出に最小値Ｑ’minを適用するか否かを判断でき、ＰＵＳＣＨで送信される上りリンクデータおよびＡＣＫ／ＮＡＣＫを正しく受信できるため、移動局装置１と基地局装置３がＰＵＳＣＨを用いてＡＣＫ／ＮＡＣＫを効率的に送受信することができる。例えば、基地局装置３は、移動局装置１に上りリンクグラントを送信するために、ＰＤＣＣＨ（ＤＣＩフォーマット０、ＤＣＩフォーマット４が送信される）を用いたのか、ＰＤＳＣＨ（Non-contention based Random Accessのランダムアクセスレスポンスグラントが送信される）を用いたのかによって、移動局装置１がＰＵＳＣＨでＡＣＫ／ＮＡＣＫを送信する際に、Ｑ’の算出に最小値Ｑ’minを適用するか否かを判断することができる。
【０１５１】
さらに、基地局装置３は、移動局装置１に送信した上りリンクグラントのＤＣＩフォーマットの種類に応じて、移動局装置１がＰＵＳＣＨでＡＣＫ／ＮＡＣＫを送信する際に、Ｑ’の算出に最小値Ｑ’minを適用するか否かを判断でき、ＰＵＳＣＨで送信される上りリンクデータおよびＡＣＫ／ＮＡＣＫを正しく受信できるため、移動局装置１と基地局装置３がＰＵＳＣＨを用いてＡＣＫ／ＮＡＣＫを効率的に送受信することができる。例えば、基地局装置３は、移動局装置１に送信する上りリンクグラントとして、ＤＣＩフォーマット０を用いたのか、ＤＣＩフォーマット４を用いたのかによって、移動局装置１がＰＵＳＣＨでＡＣＫ／ＮＡＣＫを送信する際に、Ｑ’の算出に最小値Ｑ’minを適用するか否かを判断することができる。
【０１５２】
ここで、基地局装置３は、移動局装置１がＤＣＩフォーマット０またはNon-contention based Random Accessのランダムアクセスレスポンスグラントによって無線リソースの割り当てを示されるＰＵＳＣＨでＡＣＫ／ＮＡＣＫを送信する際にＱ’を計算するために用いる第１のβＰＵＳＣＨｏｆｆｓｅｔを、無線リソース制御信号（Radio Resource Control signal: RRC signal）などを用いて、移動局装置１に対して設定する。また、基地局装置３は、移動局装置１がＤＣＩフォーマット４によって無線リソースの割り当てを示されるＰＵＳＣＨで１つの上りリンクデータとＡＣＫ／ＮＡＣＫをともに送信する際にＱ’を計算するために用いる第２のβＰＵＳＣＨｏｆｆｓｅｔを、無線リソース制御信号（Radio Resource Control signal: RRC signal）などを用いて、移動局装置１に対して設定する。さらに、基地局装置３は、移動局装置１がＤＣＩフォーマット４によって無線リソースの割り当てを示されるＰＵＳＣＨで２つの上りリンクデータとＡＣＫ／ＮＡＣＫをともに送信する際にＱ’を計算するために用いる第３のβＰＵＳＣＨｏｆｆｓｅｔを、無線リソース制御信号（Radio Resource Control signal: RRC signal）などを用いて、移動局装置１に対して設定する。ここで、基地局装置３は、移動局装置１に対して、第１のβＰＵＳＣＨｏｆｆｓｅｔ、第２のβＰＵＳＣＨｏｆｆｓｅｔ、第３のβＰＵＳＣＨｏｆｆｓｅｔとして、同じ値（オフセット値）を設定しても良い。
【０１５３】
移動局装置１は、ＡＣＫ／ＮＡＣＫが送信されるＰＵＳＣＨの無線リソースの割り当てを示す上りリンクグラントを受信した物理チャネルがＰＤＳＣＨの場合には、つまりＡＣＫ／ＮＡＣＫが送信されるＰＵＳＣＨの無線リソースの割り当てを示す上りリンクグラントがランダムアクセスレスポンスグラントの場合には第１のβＰＵＳＣＨｏｆｆｓｅｔを用いてＱ’を計算する。また、移動局装置１は、ＡＣＫ／ＮＡＣＫが送信されるＰＵＳＣＨの無線リソースの割り当てを示す上りリンクグラントを受信した物理チャネルがＰＤＣＣＨの場合には、第１のβＰＵＳＣＨｏｆｆｓｅｔまたは第２のβＰＵＳＣＨｏｆｆｓｅｔまたは第３のβＰＵＳＣＨｏｆｆｓｅｔを用いてＱ’を計算する。つまり、移動局装置１は、ＡＣＫ／ＮＡＣＫが送信されるＰＵＳＣＨの無線リソースの割り当てを示す上りリンクグラントを受信した物理チャネルの種類に応じて、基地局装置３によって設定された複数のβＰＵＳＣＨｏｆｆｓｅｔ（例えば、第１のβＰＵＳＣＨｏｆｆｓｅｔ、第２のβＰＵＳＣＨｏｆｆｓｅｔ、第３のβＰＵＳＣＨｏｆｆｓｅｔ）の中から１つのβＰＵＳＣＨｏｆｆｓｅｔを用いてＱ’を計算する。
【０１５４】
移動局装置１は、ＡＣＫ／ＮＡＣＫが送信されるＰＵＳＣＨの無線リソースの割り当てを示すＤＣＩフォーマットがＤＣＩフォーマット０の場合には、第１のβＰＵＳＣＨｏｆｆｓｅｔを用いてＱ’を計算する。移動局装置１は、ＡＣＫ／ＮＡＣＫが送信されるＰＵＳＣＨの無線リソースの割り当てを示すＤＣＩフォーマットがＤＣＩフォーマット４の場合には、第２のβＰＵＳＣＨｏｆｆｓｅｔまたは第３のβＰＵＳＣＨｏｆｆｓｅｔを用いてＱ’を計算する。つまり、移動局装置１は、ＡＣＫ／ＮＡＣＫが送信されるＰＵＳＣＨの無線リソースの割り当てを示すＤＣＩフォーマットの種類に応じて、基地局装置３によって設定された複数のβＰＵＳＣＨｏｆｆｓｅｔ（例えば、第１のβＰＵＳＣＨｏｆｆｓｅｔ、第２のβＰＵＳＣＨｏｆｆｓｅｔ、第３のβＰＵＳＣＨｏｆｆｓｅｔ）の中から１つのβＰＵＳＣＨｏｆｆｓｅｔを用いてＱ’を計算する。
【０１５５】
ここで、移動局装置１は、ＤＣＩフォーマット４によって無線リソースの割り当てを示されるＰＵＳＣＨで１つの上りリンクデータとＡＣＫ／ＮＡＣＫをともに送信する場合には、第２のβＰＵＳＣＨｏｆｆｓｅｔを用いてＱ’を計算する。また、移動局装置１は、ＤＣＩフォーマット４によって無線リソースの割り当てを示されるＰＵＳＣＨで２つの上りリンクデータとＡＣＫ／ＮＡＣＫをともに送信する場合には、第３のβＰＵＳＣＨｏｆｆｓｅｔを用いてＱ’を計算する。つまり、移動局装置１は、ＤＣＩフォーマット４によって無線リソースの割り当てを示されるＰＵＳＣＨでいくつの上りリンクデータを送信するかに応じて、基地局装置３によって設定された複数のβＰＵＳＣＨｏｆｆｓｅｔ（例えば、第２のβＰＵＳＣＨｏｆｆｓｅｔ、第３のβＰＵＳＣＨｏｆｆｓｅｔ）の中から１つのβＰＵＳＣＨｏｆｆｓｅｔを用いてＱ’を計算する。
【０１５６】
移動局装置１は、ＤＣＩフォーマット０またはNon-contention based Random Accessのランダムアクセスレスポンスグラントで無線リソースの割り当てを示された、1つの上りリンクデータを送信するＰＵＳＣＨでＡＣＫ／ＮＡＣＫを送信する際には、Ｑ’の算出に最小値Ｑ’minを適用せず、第１のβＰＵＳＣＨｏｆｆｓｅｔを用いてＱ’を計算する。移動局装置１は、ＤＣＩフォーマット４で無線リソースの割り当てを示された、1つの上りリンクデータを送信するＰＵＳＣＨでＡＣＫ／ＮＡＣＫを送信する際には、Ｑ’の算出に最小値Ｑ’minを適用し、第２のβＰＵＳＣＨｏｆｆｓｅｔを用いてＱ’を計算する。つまり、移動局装置１は、ＰＵＳＣＨでＡＣＫ／ＮＡＣＫを送信する際にＱ’の算出に最小値Ｑ’minを適用するか否かに応じて、基地局装置３から設定された複数のβＰＵＳＣＨｏｆｆｓｅｔ（例えば、第１のβＰＵＳＣＨｏｆｆｓｅｔ、第２のβＰＵＳＣＨｏｆｆｓｅｔ）の中から１つのβＰＵＳＣＨｏｆｆｓｅｔを用いてＱ’を算出する。
【０１５７】
これにより、基地局装置３は、移動局装置１がＰＵＳＣＨでＡＣＫ／ＮＡＣＫを送信する際に、ＡＣＫ／ＮＡＣＫの符号化ビットの数を算出する際に用いるオフセット値を適切に設定することができ、移動局装置１と基地局装置３がＰＵＳＣＨを用いてＡＣＫ／ＮＡＣＫを効率的に送受信することができる。
【０１５８】
符号化ビット連結部１０７１ｆは、ＲＭ符号化部１０７１ｄから入力された第１のＡＣＫ／ＮＡＣＫセグメントの符号化ビットｑ(1)iと、ＲＭ符号化部１０７１ｅから入力された第２のＡＣＫ／ＮＡＣＫセグメントの符号化ビットｑ(2)iを連結する。符号化ビット連結部１０７１ｆは、ＡＣＫ／ＮＡＣＫをＰＵＳＣＨで送信する場合には、連結されたＡＣＫ／ＮＡＣＫの符号化ビットｑiをインタリーブ部１０７１ｇへ出力する。符号化ビット連結部１０７１ｆは、ＡＣＫ／ＮＡＣＫをＰＵＣＣＨで送信する場合には、連結されたＡＣＫ／ＮＡＣＫの符号化ビットｑiをＰＵＣＣＨ生成部１０７５へ出力する。
【０１５９】
インタリーブ部１０７１ｇは、データ符号化部１０７１ａから入力された上りリンクデータｆiの符号化ビットと、符号化ビット連結部１０７１ｆから入力された連結されたＡＣＫ／ＮＡＣＫの符号化ビットｑiを連結およびインタリーブし、連結された符号化ビットｈiをＰＵＳＣＨ生成部１０７３へ出力する。図９は、本発明の符号化シンボルのインタリーブの方法の一例を示す図である。符号化シンボルは、ＰＵＳＣＨの上りリンクデータに対する変調方式の変調多値数と同じ数の符号化ビットをグループ化したものであり、１つの符号化シンボルが変調されることで１つの変調シンボルが生成される。
【０１６０】
図９において、サブフレーム内のＳＣ−ＦＤＭＡシンボルシンボルの数と同じ数の列がある。ただし、４列目と１１列目は上りリンク参照信号（ＤＭＲＳ）のための領域なので、符号化シンボルは配置されない。図９において、上りリンクグラントによって割り当てを示されたＰＵＳＣＨのサブキャリアの数と同じ数の列がある。
【０１６１】
図９の同一の列に配置される符号化シンボルは、変調された後に、ともに離散フーリエ変換（Discrete Fourier Transform: DFT）され、ＤＦＴされた信号は上りリンクグラントによって無線リソースの割り当てを示されたＰＵＳＣＨのリソースエレメントに配置される。ｉ列目の符号化シンボルから生成されたＤＦＴされた信号はサブフレーム内のｉ番目のＳＣ−ＦＤＭＡシンボルに対応するリソースエレメントに配置される。
【０１６２】
インタリーブ部１０７１は、上りリンクデータの符号化シンボルｆiとＡＣＫ／ＮＡＣＫの符号化シンボルｑiとＣＱＩ／ＰＭＩの符号化シンボルとＲＩの符号化シンボルを、図９のように連結およびインタリーブする。本発明では、説明の簡略化のためＣＱＩ／ＰＭＩとＲＩの符号化の説明を省略する。ＡＣＫ／ＮＡＣＫの符号化シンボルは、３番目と５番目と１０番目と１２番目の列に配置される。図９において、ＡＣＫ／ＮＡＣＫの符号化シンボルに付された数字は、ＡＣＫ／ＮＡＣＫの符号化シンボルを配置する順番を示している。ＡＣＫ／ＮＡＣＫの符号化シンボルは、最も下の行から順番に配置され、同一の行内にＡＣＫ／ＮＡＣＫの符号化シンボルが全て配置されたら、次の（１つ上の）行にＡＣＫ／ＮＡＣＫの符号化シンボルを配置することを繰り返す。
【０１６３】
ＰＵＳＣＨ生成部１０７３は、インタリーブ部１０７１ｇから入力された連結された符号化ビットｈiを変調して変調シンボルを生成し、図９において同一の列に配置されている変調シンボルをＤＦＴし、ＤＦＴされたＰＵＳＣＨの信号を多重部１０７７へ出力する。
【０１６４】
ＰＵＣＣＨ生成部１０７５は、符号化ビット連結部１０７１ｆから入力された連結されたＡＣＫ／ＮＡＣＫの符号化ビット（q0,q1,...,q47）をＱＰＳＫ変調および／またはＤＦＴおよび／または符号拡散をし、ＰＵＣＣＨの信号を生成し、生成したＰＵＣＣＨの信号を多重部１０７７へ出力する。
【０１６５】
上りリンク参照信号生成部１０７１１は、基地局装置３を識別するための物理セル識別子（physical cell identity: PCI、Cell IDなどと称する。）、上りリンク参照信号を配置する帯域幅、上りリンクグラントで通知されたサイクリックシフトなどを基に予め定められた規則で求まる、基地局装置３が既知の系列を生成し、生成した上りリンク参照信号を多重部１０７７へ出力する。
【０１６６】
多重部１０７５は、制御部１０３から入力された制御信号に従って、ＰＵＳＣＨ生成部から入力されたＰＵＳＣＨの信号および／またはＰＵＣＣＨ生成部から入力されたＰＵＣＣＨの信号および／または上りリンク参照信号生成部１０７１１から入力された上りリンク参照信号を、送信アンテナポート毎に上りリンクのリソースエレメントに多重する。
【０１６７】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１６８】
以下、本発明の基地局装置３の装置構成について説明する。
【０１６９】
図１０は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１７０】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１７１】
上位層処理部３０１が備える無線リソース制御部３０１１は、下りリンクのＰＤＳＣＨに配置される下りリンクデータ、ＲＲＣシグナル、ＭＡＣ  ＣＥ（Control Element）を生成し、又は上位ノードから取得し、ＨＡＲＱ制御部３０１３に出力する。また、無線リソース制御部３０１１は、移動局装置１各々の各種設定情報の管理をする。例えば、無線リソース制御部３０１１は、移動局装置１に設定したサービングセルの管理などを行なう。
【０１７２】
上位層処理部３０１が備えるスケジューリング部３０１３は、移動局装置１に割り当てるＰＵＳＣＨやＰＵＣＣＨの無線リソースの管理をしている。スケジューリング部３０１３は、移動局装置１にＰＵＳＣＨの無線リソースを割り当てた場合には、ＰＵＳＣＨの無線リソースの割り当てを示す上りリンクグラントを生成し、生成した上りリンクグラントを送信部３０７へ出力する。
【０１７３】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１７４】
受信部３０５は、制御部３０３から入力された制御信号に従って、送受信アンテナ３０９を介して移動局装置１から受信した受信信号を分離、復調、復号し、復号した情報を上位層処理部３０１に出力する。
【０１７５】
無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１７６】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１７７】
多重分離部３０５５は、分離したＰＵＣＣＨとＰＵＳＣＨの信号を逆離散フーリエ変換（Inverse Discrete Fourier Transform: IDFT）し、上りリンクデータの変調シンボルと上りリンク制御情報（ＡＣＫ／ＮＡＣＫ）の変調シンボルを取得する。多重分離部３０５５は、ＰＵＳＣＨの信号から取得した上りリンクデータの変調シンボルをデータ復調／復号部３０５１へ出力する。多重分離部３０５５は、ＰＵＣＣＨの信号またはＰＵＳＣＨの信号から取得した上りリンク制御情報（ＡＣＫ／ＮＡＣＫ）の変調シンボルを制御情報復調／復号部３０５３へ出力する。
【０１７８】
チャネル測定部３０５９は、多重分離部３０５５から入力された上りリンク参照信号から伝搬路の推定値、チャネルの品質などを測定し、多重分離部３０５５および上位層処理部３０１に出力する。
【０１７９】
データ復調／復号部３０５１は、多重分離部３０５５から入力された上りリンクデータの変調シンボルを復調し、復調された上りリンクデータの符号化ビットを復号し、復号された上りリンクデータを上位層処理部３０１へ出力する。
【０１８０】
制御情報復調／復号部３０５３は、多重分離部３０５５から入力されたＡＣＫ／ＮＡＣＫの変調シンボルのうち、第１のＡＣＫ／ＮＡＣＫセグメントに対応する変調シンボルに対して最尤判定法などを用いて第１のＡＣＫ／ＮＡＣＫセグメントを復号する。制御情報復調／復号部３０５３は、多重分離部３０５５から入力されたＡＣＫ／ＮＡＣＫの変調シンボルのうち、第２のＡＣＫ／ＮＡＣＫセグメントに対応する変調シンボルに対して最尤判定法などを用いて第２のＡＣＫ／ＮＡＣＫセグメントを復号する。制御情報復調／復号部３０５３は、復号した第１のＡＣＫ／ＮＡＣＫセグメントと第２のＡＣＫ／ＮＡＣＫセグメントを連結し、連結したＡＣＫ／ＮＡＣＫを上位層処理部３０１へ出力する。
【０１８１】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１８２】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１８３】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。
【０１８４】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１８５】
以下、本発明の移動局装置１の動作をフローチャート図で説明する。
【０１８６】
図１１は、本発明の移動局装置１の動作の一例を示すフローチャート図である。まず、移動局装置１は、基地局装置３によって複数のβＰＵＳＣＨｏｆｆｓｅｔ（例えば、第１のβＰＵＳＣＨｏｆｆｓｅｔ、第２のβＰＵＳＣＨｏｆｆｓｅｔ、第３のβＰＵＳＣＨｏｆｆｓｅｔ）が設定される（ステップＳ１００）。次に、移動局装置１は、基地局装置３によって送信されたＰＤＣＣＨまたはＰＤＳＣＨで上りリンクグラントを受信する（ステップＳ１０１）。
【０１８７】
移動局装置１は、上りリンクグラントを受信した物理チャネルの種類、上りリンクグラントのＤＣＩフォーマットの種類に応じて、Ｑ’の算出に最小値Ｑ’minを適用するか否かを選択する。つまり、移動局装置１は、上りリンクグラントを受信した物理チャネルの種類、上りリンクグラントのＤＣＩフォーマットの種類に応じて、（７）式からＱ’を算出するか、（８）式からＱ’を算出するかを選択する（ステップＳ１０２）。
【０１８８】
移動局装置１は、上りリンクグラントを受信した物理チャネルの種類、上りリンクグラントのＤＣＩフォーマットの種類、上りリンクグラントによって無線リソースの割り当てが示されるＰＵＳＣＨでいくつの上りリンクデータが送信されるか、Ｑ’の算出に最小値Ｑ’minを適用するか否かに応じて、基地局装置３から設定された複数のβＰＵＳＣＨｏｆｆｓｅｔ（例えば、第１のβＰＵＳＣＨｏｆｆｓｅｔ、第２のβＰＵＳＣＨｏｆｆｓｅｔ、第３のβＰＵＳＣＨｏｆｆｓｅｔ）の中からＱ’を計算する際に用いる１つのβＰＵＳＣＨｏｆｆｓｅｔを選択する（ステップＳ１０３）。移動局装置１は、ステップＳ１０２で選択した（７）式または（８）式に、ステップＳ１０３で選択した１つのβＰＵＳＣＨｏｆｆｓｅｔを用いてＱ’を算出する（ステップＳ１０４）。ステップＳ１０４の後に、移動局装置１はＱ’の算出に関する処理を終了する。
【０１８９】
このように、本発明は、移動局装置１と基地局装置３とが通信する無線通信システムであって、移動局装置１は、下りリンクデータに対するＡＣＫ／ＮＡＣＫビットのシーケンス［ｏ0ｏ1…ｏO-1］を２つのＡＣＫ／ＮＡＣＫセグメント（２つのＡＣＫ／ＮＡＣＫビットのシーケンス）［ｏ0ｏ1…ｏceil(O/2)-1］と［ｏceil(O/2)ｏceil(O/2)+1…ｏO-1］に分割し、ＡＣＫ／ＮＡＣＫセグメントそれぞれのビット数（ペイロードサイズ）に基づいて、ＰＵＳＣＨで送信されるＡＣＫ／ＮＡＣＫの符号化ビット数Ｑを分割することによって、ＡＣＫ／ＮＡＣＫセグメントそれぞれの符号化ビット数Ｑ1とＱ2を算出し、算出した符号化ビット数Ｑ1とＱ2の下りリンクデータに対するＡＣＫ／ＮＡＣＫビットをＰＵＳＣＨで基地局装置３へ送信し、基地局装置３は、ＰＵＳＣＨで受信した下りリンクデータに対するＡＣＫ／ＮＡＣＫビットを復号する。これにより、符号化前のビット数が多いＡＣＫ／ＮＡＣＫセグメントの符号化ビット数を、符号化前のビット数が少ないＡＣＫ／ＮＡＣＫセグメントの符号化ビット数よりも多くすることができ、移動局装置１がＰＵＳＣＨでＡＣＫ／ＮＡＣＫを効率的に送信することができる。
【０１９０】
また、本発明は、移動局装置１と基地局装置３とが通信する無線通信システムであって、移動局装置１は、ＰＵＳＣＨの無線リソースの割り当てを示す上りリンクグラント（制御情報）を基地局装置３から受信した物理チャネル（例えば、ＰＤＣＣＨ、ＰＤＳＣＨ）に応じて、下りリンクデータに対するＡＣＫ／ＮＡＣＫの符号化ビット数Ｑの算出に最小値Ｑ’minを適用するか否かを決定し、ＡＣＫ／ＮＡＣＫの符号化ビット数を算出し、算出した符号化ビット数のＡＣＫ／ＮＡＣＫをＰＵＳＣＨで基地局装置３へ送信し、基地局装置３は、ＰＵＳＣＨで受信したＡＣＫ／ＮＡＣＫビットを復号する。これにより、基地局装置３は、移動局装置１に上りリンクグラントを送信するために用いた物理チャネルに応じて、移動局装置１がＰＵＳＣＨでＡＣＫ／ＮＡＣＫを送信する際に、Ｑ’の算出に最小値Ｑ’minを適用するか否かを判断でき、ＰＵＳＣＨで送信される上りリンクデータおよびＡＣＫ／ＮＡＣＫを正しく受信できるため、移動局装置１と基地局装置３がＰＵＳＣＨを用いてＡＣＫ／ＮＡＣＫを効率的に送受信することができる。
【０１９１】
また、本発明は、移動局装置１と基地局装置３とが通信する無線通信システムであって、移動局装置１は、ＰＵＳＣＨの無線リソースの割り当てを示す上りリンクグラント（制御情報）の送信に用いられるＤＣＩフォーマット（制御情報フォーマット）に応じて、下りリンクデータに対するＡＣＫ／ＮＡＣＫの符号化ビット数Ｑの算出に最小値Ｑ’minを適用するか否かを決定し、ＡＣＫ／ＮＡＣＫの符号化ビット数を算出し、算出した符号化ビット数のＡＣＫ／ＮＡＣＫをＰＵＳＣＨで基地局装置３へ送信し、基地局装置３は、ＰＵＳＣＨで受信したＡＣＫ／ＮＡＣＫビットを復号する。これにより、基地局装置３は、移動局装置１に送信した上りリンクグラントのＤＣＩフォーマットの種類に応じて、移動局装置１がＰＵＳＣＨでＡＣＫ／ＮＡＣＫを送信する際に、Ｑ’の算出に最小値Ｑ’minを適用するか否かを判断でき、ＰＵＳＣＨで送信される上りリンクデータおよびＡＣＫ／ＮＡＣＫを正しく受信できるため、移動局装置１と基地局装置３がＰＵＳＣＨを用いてＡＣＫ／ＮＡＣＫを効率的に送受信することができる。
【０１９２】
また、本発明は、移動局装置１と基地局装置３とが通信する無線通信システムであって、移動局装置１は、基地局装置３によって複数のオフセット値（例えば、第１のβＰＵＳＣＨｏｆｆｓｅｔ、第２のβＰＵＳＣＨｏｆｆｓｅｔ、第３のβＰＵＳＣＨｏｆｆｓｅｔ）を設定され、ＰＵＳＣＨの無線リソースの割り当てを示す上りリンクグラント（制御情報）を基地局装置３から受信した物理チャネル（例えば、ＰＤＣＣＨ、ＰＤＳＣＨ）に応じて、設定された複数のオフセット値の中から１つのオフセット値を用いて、下りリンクデータに対するＡＣＫ／ＮＡＣＫの符号化ビット数Ｑを算出し、算出した符号化ビット数のＡＣＫ／ＮＡＣＫをＰＵＳＣＨで基地局装置３へ送信し、基地局装置３は、ＰＵＳＣＨで受信したＡＣＫ／ＮＡＣＫビットを復号する。
【０１９３】
また、本発明は、移動局装置１と基地局装置３とが通信する無線通信システムであって、移動局装置１は、基地局装置３によって複数のオフセット値（例えば、第１のβＰＵＳＣＨｏｆｆｓｅｔ、第２のβＰＵＳＣＨｏｆｆｓｅｔ、第３のβＰＵＳＣＨｏｆｆｓｅｔ）を設定され、ＰＵＳＣＨの無線リソースの割り当てを示す上りリンクグラント（制御情報）の送信に用いられるＤＣＩフォーマット（制御情報フォーマット）に応じて、設定された複数のオフセット値の中から１つのオフセット値を用いて、下りリンクデータに対するＡＣＫ／ＮＡＣＫの符号化ビット数Ｑを算出し、算出した符号化ビット数のＡＣＫ／ＮＡＣＫを物理上りリンク共用チャネルで基地局装置３へ送信し、基地局装置３は、ＰＵＳＣＨで受信したＡＣＫ／ＮＡＣＫビットを復号する。
【０１９４】
これにより、基地局装置３は、移動局装置１がＰＵＳＣＨでＡＣＫ／ＮＡＣＫを送信する際に、ＡＣＫ／ＮＡＣＫの符号化ビットの数を算出する際に用いるオフセット値を適切に設定することができ、移動局装置１と基地局装置３がＰＵＳＣＨを用いてＡＣＫ／ＮＡＣＫを効率的に送受信することができる。
【０１９５】
尚、本発明は、ＡＣＫ／ＮＡＣＫ以外の上りリンク制御情報（例えば、ＣＱＩ、ＰＭＩ、ＲＩ）をＰＵＳＣＨで送信する際に適用することができる。本発明は、ＡＣＫ／ＮＡＣＫ以外の上りリンク制御情報をＰＵＳＣＨで送信する際に、ＡＣＫ／ＮＡＣＫ以外の上りリンク制御情報の送信に用いられるリソースエレメントの数およびＡＣＫ／ＮＡＣＫ以外の上りリンク制御情報の送信に用いられる変調シンボルの数およびＡＣＫ／ＮＡＣＫ以外の上りリンク制御情報の送信に用いられる符号化シンボルの数を決定するために用いることができる。
【０１９６】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１９７】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１９８】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１９９】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２００】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２０１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０２０２】
１（１Ａ、１Ｂ、１Ｃ）  移動局装置
３  基地局装置
１０１  上位層処理部
１０３  制御部
１０５  受信部
１０７  送信部
１０１１  無線リソース制御部
１０１３  スケジューリング部
１０５１  復号化部
１０５３  復調部
１０５５  多重分離部、
１０５７  無線受信部
１０５９  チャネル測定部
１０７１  符号化部
１０７３  ＰＵＳＣＨ生成部
１０７５  ＰＵＣＣＨ生成部
１０７７  多重部
１０７９  無線送信部
１０７１１  上りリンク参照信号生成部
１０７１ａ  データ符号化部
１０７１ｂ  ＨＡＲＱ−ＡＣＫ連結部
１０７１ｃ  ＨＡＲＱ−ＡＣＫ分割部
１０７１ｄ  ＲＭ符号化部
１０７１ｅ  ＲＭ符号化部
１０７１ｆ  符号化ビット連結部
１０７１ｇ  インタリーブ部
３０１  上位層処理部
３０３  制御部
３０５  受信部
３０７  送信部
３０１１  無線リソース制御部
３０１３  スケジューリング部
３０５１  データ復調／復号部
３０５３  制御情報復調／復号部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
【図１】
2012129761.tif 000014
【図２】
2012129761.tif 000015
【図３】
2012129761.tif 000016
【図４】
2012129761.tif 000017
【図５】
2012129761.tif 000018
【図６】
2012129761.tif 000019
【図７】
2012129761.tif 000020
【図８】
2012129761.tif 000021
【図９】
2012129761.tif 000022
【図１０】
2012129761.tif 000023
【図１１】
2012129761.tif 000024